(57)【要約】【課題】遊技者の止め打ちを抑止しつつ、より完成度の高い先読み演出を行うことができるパチンコ機を提供する。【解決手段】パチンコ機のサブ統合制御装置では、新たに発生した保留記憶に係る大当り決定用乱数等の値についての判別結果を示す先読みコマンドに基づき、該保留記憶についての先読み演出を行うか否かを決定し（Ｓ６１５）、先読み演出を行う場合には、先読みタイマに所定のタイマ値を設定すると共に、先読み実行カウンタに１〜４のいずれかの数を設定する（Ｓ６３０，Ｓ６３５）。そして、先読みタイマがタイムアウトするか、或いは、先読み実行カウンタに設定された数の保留記憶が新たに発生した際に、新たに発生した保留記憶に対応する保留図柄を当りへの期待度に応じて変化させる。【選択図】図１５
2013009950.tif 000002
【特許請求の範囲】
【請求項１】
遊技球の始動口への入球に起因して抽出された乱数に基づき大当り抽選を行うと共に、前記乱数に基づき定められた内容であって、且つ大当りとなるか否かを示唆する大当り演出を行うことで、前記大当り抽選の結果を報知する弾球遊技機であって、
前記乱数を保留記憶として記憶する保留記憶手段と、
前記保留記憶に係る前記乱数に基づき前記大当り抽選を行い、該保留記憶を消化する抽選手段と、
前記保留記憶に係る前記乱数に基づく前記大当り抽選が行われる前に、該乱数が特定値か否かを示す先読み情報を生成する先読み手段と、
消化されていない前記保留記憶に対応する保留図柄を表示する保留図柄表示手段と、
消化されていないいずれかの前記保留記憶について、該保留記憶に係る前記乱数に基づく前記大当り抽選の結果について事前に予告する先読み演出を行うか否かを決定する決定手段と、
前記決定手段により前記先読み演出を行うことが決定された後、予め定められた時間が経過するか、或いは、前記大当り演出の進展に基づき定められる時期が到来することを第一条件とし、該第一条件が成立したか否かを判定する条件判定手段と、
前記第一条件の成立前に、前記先読み演出の対象となる前記保留記憶についての前記先読み情報に基づき該先読み演出の態様を設定する設定手段と、
前記条件判定手段により前記第一条件が成立したと判定されると、前記設定手段により設定された前記態様に従い、前記先読み演出の対象となる前記保留記憶よりも後に生成された前記保留記憶である後続保留記憶に対応して表示されている前記保留図柄を変化させる先読み演出手段と、
を備えることを特徴とする弾球遊技機。
【請求項２】
請求項１に記載の弾球遊技機において、
前記条件判定手段は、さらに、予め定められた数の前記後続保留記憶が生成されることを第二条件とし、前記第一条件或いは前記第二条件が成立したか否かを判定し、
前記先読み演出手段は、前記条件判定手段により前記第一条件或いは前記第二条件のうちの一方が成立したと判定されると、前記先読み演出を行うこと、
を特徴とする弾球遊技機。
【請求項３】
請求項１または請求項２に記載の弾球遊技機において、
前記弾球遊技機は、前記保留記憶手段と、前記抽選手段と、前記先読み手段とを有する主制御装置と、該主制御装置からの演出制御コマンドに応じて前記大当り演出を行い、前記保留図柄表示手段と、前記決定手段と、前記条件判定手段と、前記設定手段と、前記先読み演出手段とを有するサブ制御装置とを備え、
前記主制御装置は、前記サブ制御装置に対し、消化されていない前記保留記憶の数を示す保留数コマンドを送信する保留数通知手段をさらに有し、
前記先読み手段は、前記先読み情報を生成すると共に、該先読み情報を示す先読みコマンドを前記サブ制御装置に送信し、
前記保留図柄表示手段は、前記保留数コマンドに基づき前記保留図柄を表示し、
前記設定手段は、前記先読みコマンドが示す前記先読み情報に基づき、該先読み情報に係る前記保留記憶についての前記先読み演出の態様を設定すること、
を特徴とする弾球遊技機。
【発明の詳細な説明】
【技術分野】
【０００１】
本発明は、弾球遊技機に関する。
【背景技術】
【０００２】
遊技領域に設けられた始動口への入球に起因して乱数を抽出すると共に、所定数を上限として該乱数を保留記憶として記憶し、先に記憶した保留記憶から順に、保留記憶に係る乱数に基づく大当り抽選を行う弾球遊技機が知られている。このような弾球遊技機では、遊技領域の中央に配された演出図柄表示装置により大当り抽選の結果を報知する大当り演出を行うことで、遊技者の大当りへの期待感を高めると共に、演出図柄表示装置に保留図柄を表示することで、遊技者に保留記憶の数をわかり易く報知するよう構成されている。
【０００３】
また、近年では、大当り抽選が行われる前に、保留記憶に係る乱数に基づき大当り抽選で当るか否か等を判定し、判定結果に応じて対応する保留図柄を変化させる等の方法により、保留記憶による大当り抽選の結果を事前に予告する先読み演出を行う弾球遊技機が知られている。
【０００４】
しかしながら、当りへの期待度が大きい先読み演出が行われてしまうと、先読み演出の対象となった保留記憶についての大当り演出により大当り抽選の結果が判明するまで遊技球の発射を止めてしまう（以後、止め打ちと記載）遊技者がおり、弾球遊技機の稼働率が低下してしまうという問題があった。
【０００５】
ここで、特許文献１には、先読み演出の対象となる保留記憶よりも後に発生した保留記憶（後続保留記憶）に対応して通常時とは異なる保留図柄を表示することで、該保留記憶についての先読み演出を行う弾球遊技機について記載されている。
【０００６】
具体的には、この弾球遊技機における先読み演出は、後続保留記憶に対応する後続保留図柄として文字や記号が描かれた図柄が表示され、後続保留図柄の数が所定数（例えば４個）に達した時点で、これらの後続保留図柄が示す文字や記号の組合せにより当りへの期待度が判明するよう構成されている。
【先行技術文献】
【特許文献】
【０００７】
【特許文献１】特開２０１１−２０７号公報
【発明の概要】
【発明が解決しようとする課題】
【０００８】
特許文献１に記載の弾球遊技機によれば、先読み演出が開始されても、新たに所定数の保留記憶を発生させなければ当りへの期待度が判明しないため、遊技者は遊技球の発射を継続すると考えられる。このため、弾球遊技機の稼働率の低下を防ぐことができるが、遊技球の発射が継続されたとしても、所定数の保留記憶が新たに発生する前に、先読み演出の対象となる保留記憶に基づく大当り演出（大当りとなるか否か、すなわち大当り、リーチハズレ、及びノーマルハズレ等の結果に至るまでの過程において、これらの結果を示唆する演出）が開始されてしまう場合もあり、このような場合には、先読み演出が不完全なものとなってしまう。
【０００９】
本願発明は上記課題に鑑みてなされたものであり、遊技者の止め打ちを抑止しつつ、より完成度の高い先読み演出を行うことができる弾球遊技機を提供することを目的とする。
【課題を解決するための手段】
【００１０】
上記課題に鑑みてなされた請求項１に記載の弾球遊技機は、遊技球の始動口への入球に起因して抽出された乱数に基づき大当り抽選を行うと共に、乱数に基づき定められた内容であって、且つ大当りとなるか否かを示唆する大当り演出を行うことで、大当り抽選の結果を報知し、乱数を保留記憶として記憶する保留記憶手段と、保留記憶に係る乱数に基づき大当り抽選を行い、該保留記憶を消化する抽選手段と、保留記憶に係る乱数に基づく大当り抽選が行われる前に、該乱数が特定値か否かを示す先読み情報を生成する先読み手段と、消化されていない保留記憶に対応する保留図柄を表示する保留図柄表示手段と、消化されていないいずれかの保留記憶について、該保留記憶に係る乱数に基づく大当り抽選の結果について事前に予告する先読み演出を行うか否かを決定する決定手段と、決定手段により先読み演出を行うことが決定された後、予め定められた時間が経過するか、或いは、大当り演出の進展に基づき定められる時期が到来することを第一条件とし、該第一条件が成立したか否かを判定する条件判定手段と、第一条件の成立前に、先読み演出の対象となる保留記憶についての先読み情報に基づき該先読み演出の態様を設定する設定手段と、条件判定手段により第一条件が成立したと判定されると、設定手段により設定された態様に従い、先読み演出の対象となる保留記憶よりも後に生成された保留記憶である後続保留記憶に対応して表示されている保留図柄を変化させる先読み演出手段と、を備えることを特徴とする。
【００１１】
なお、例えば、保留記憶に係る乱数が、大当り抽選に用いられる大当り決定用乱数である場合には、特定値とは、当りとなる大当り決定用乱数の値であっても良い。また、例えば、保留記憶に係る乱数が、大当り抽選で外れとなる場合に大当り演出にてリーチとなるか否かを決定するためのリーチ判定用乱数である場合には、特定値とは、リーチとなるリーチ判定用乱数の値や、或いは、スーパーリーチとなるリーチ判定用乱数の値であっても良い。
【００１２】
このような構成によれば、予告を行う保留記憶よりも後に発生した後続保留記憶に対応する後続保留図柄を変化させることで先読み演出が行われるため、先読み演出を行うことが決定された後、新たに保留記憶を発生させて後続保留図柄を表示させなければ先読み演出の内容が判明しない。このため、遊技者は、先読み演出を行うことが決定された後も遊技球の発射を継続すると考えられる。
【００１３】
また、上記弾球遊技機では、先読み演出を行うことが決定された後、所定時間が経過する等して第一条件が成立した時に表示されている後続保留図柄を用いて先読み演出が行われる。このため、第一条件の成立時に表示されている後続保留図柄の数に応じて完成された内容の先読み演出を行うことができ、後続保留図柄の数が不足しているために不完全な先読み演出が行われてしまうといった事態が生じることは無い。
【００１４】
したがって、請求項１に記載の弾球遊技機によれば、遊技者の止め打ちを抑止しつつ、より完成度の高い先読み演出を行うことができる。
また、第一条件成立時には、予め設定された態様に従い先読み演出が行われるため、第一条件成立時に表示されている後続保留図柄の数に応じて先読み演出の態様を差し替えるといった必要は無く、先読み演出を行う際の処理負荷を低減させることができる。
【００１５】
また、第一条件成立時に表示されている後続保留図柄を変化させることで先読み演出が行われるため、先読み演出が小出しに行われることは無く、遊技者は、後続保留図柄を一見するだけで当りへの期待度を把握することができる。このため、遊技者は、先読み演出の内容を逐一確認する必要が無くなり、大当り演出等に注意を向けることができる。
【００１６】
ここで、遊技球が始動口に入球するペースにはばらつきがあり、短期間で多くの入球が発生する場合もある。また、始動口への入球が容易となる時短モードとなっている場合には、始動口への入球のペースが大幅に上昇する。
【００１７】
そこで、請求項２に記載の弾球遊技機では、条件判定手段は、さらに、予め定められた数の後続保留記憶が生成されることを第二条件とし、第一条件或いは第二条件が成立したか否かを判定し、先読み演出手段は、条件判定手段により、第一条件或いは第二条件のうちの一方が成立したと判定されると、先読み演出を行う。
【００１８】
こうすることにより、十分な数の後続保留記憶が生じた時点で先読み演出を行うことができ、先読み演出を行うことが決定された後に保留記憶の数が上限値に達し、始動口に入球しても新たな保留記憶が生じないにも拘らず、先読み演出が行われないといった事態の発生を防ぐことができる。
【００１９】
一方、始動口への入球のペースが低下した場合には、先読み演出を行うことの決定から所定時間が経過する等して第一条件が成立した際に先読み演出が行われるため、入球のペースの変化の影響を抑えつつ先読み演出を行うことができる。
【００２０】
なお、請求項３に記載されているように、弾球遊技機は、保留記憶手段と、抽選手段と、先読み手段とを有する主制御装置と、該主制御装置からの演出制御コマンドに応じて大当り演出を行い、保留図柄表示手段と、決定手段と、条件判定手段と、設定手段と、先読み演出手段とを有するサブ制御装置とを備え、主制御装置は、サブ制御装置に対し、消化されていない保留記憶の数を示す保留数コマンドを送信する保留数通知手段をさらに有し、先読み手段は、先読み情報を生成すると共に、該先読み情報を示す先読みコマンドをサブ制御装置に送信し、保留図柄表示手段は、保留数コマンドに基づき保留図柄を表示し、設定手段は、先読みコマンドが示す先読み情報に基づき、該先読み情報に係る保留記憶についての先読み演出の態様を設定しても良い。
【００２１】
このような構成によれば、サブ制御装置が主体となって先読み演出が行われるため、主制御装置の処理負荷を低減させることができる。
ところで、特許文献１に記載の弾球遊技機では、先読み演出の対象となる保留記憶よりも後に発生した後続保留記憶に対応して当りへの期待度に応じた後続保留図柄を表示することで、先読み演出が行われている際の遊技者の止め打ちを防ぐよう構成されている。
【００２２】
しかしながら、先読み演出の最中に保留記憶の数が上限値に達した場合には、始動口に入賞しても新たな後続保留図柄が表示されず、先読み演出が進行しなくなるため、遊技者は止め打ちを行う可能性がある。
【００２３】
そこで、次のような弾球遊技機を構成しても良い。
すなわち、この弾球遊技機は、遊技球の始動口への入球を検出する検出手段と、前記検出手段により前記入球が検出されると乱数を抽出すると共に、抽出した前記乱数を保留記憶として記憶する保留記憶手段と、前記保留記憶に係る前記乱数に基づき大当り抽選を行い、該保留記憶を消化する抽選手段と、前記保留記憶に係る前記乱数に基づき定められた内容であって、且つ大当りとなるか否かを示唆する大当り演出を行うことで、該乱数に基づく前記大当り抽選の結果を報知する大当り演出手段と、消化されていない前記保留記憶に対応する保留図柄を表示する保留図柄表示手段と、前記保留記憶に係る前記乱数に基づく前記大当り抽選が行われる前に、該乱数が特定値か否かを示す先読み情報を生成する先読み手段と、消化されていないいずれかの前記保留記憶について、該保留記憶に係る前記乱数に基づく前記大当り抽選の結果について事前に予告する先読み演出を行うか否かを決定する決定手段と、前記決定手段により前記先読み演出を行うことが決定された場合に、前記検出手段により前記入球が検出されると、前記先読み情報に基づき設定された態様で、前記先読み演出の対象となる前記保留記憶に対応する前記保留図柄を変化させることで、前記先読み演出を行う先読み演出手段と、を備えることを特徴とする。
【００２４】
このような構成によれば、保留記憶の数が上限に達したか否かに拘らず、遊技球が始動口に入球する度に、先読み演出の対象となる保留記憶に対応する保留図柄を当りへの期待度等に応じて変化させることができる。このため、先読み演出が行われている最中の遊技者の止め打ちを防ぐことができると共に、保留記憶の数が上限に達した後も、遊技者に遊技球の発射を促すことができ、弾球遊技機の稼働率の低下を防ぐことができる。
【００２５】
なお、上記弾球遊技機において、前記保留記憶手段は、消化されていない前記保留記憶の数が予め定められた上限数未満である場合に新たな前記保留記憶を生成し、前記先読み演出手段は、前記先読み演出において、消化されていない前記保留記憶の数が前記上限数に達している場合には、前記保留記憶の数が前記上限数未満である場合に比べ、該先読み演出の対象となる前記保留記憶に係る前記乱数に基づく前記大当り抽選の結果を、より正確に予告しても良い。
【００２６】
こうすることにより、先読み演出の最中に保留記憶の数が上限に達した場合に、より一層、遊技者に対して遊技球の発射を促すことができる。
また、特許文献１に記載の弾球遊技機では、新たな保留記憶が発生すると、該保留記憶についての先読み演出を行うか否かが決定され、先読み演出が行われることが決定された場合には、該保留記憶に対応して、先読み演出が行われない場合とは異なる保留図柄（先読み示唆保留図柄）が表示される。そして、該保留記憶よりも後に発生した後続保留記憶に対応して当りへの期待度に応じた後続保留図柄を表示することで、先読み演出が行われる。
【００２７】
これにより、先読み演出が行われている最中における遊技者の止め打ちを防ぐことができると考えられるが、先読み示唆保留図柄が表示された時点である程度は当りの期待が持てることが判明するため、遊技者は、この時点で止め打ちを行う可能性もある。
【００２８】
そこで、次のような弾球遊技機を構成しても良い。
すなわち、遊技球の始動口への入球に起因して抽出された乱数に基づき大当り抽選を行うと共に、前記乱数に基づき定められた内容であって、且つ大当りとなるか否かを示唆する大当り演出を行うことで、前記大当り抽選の結果を報知する弾球遊技機であって、前記乱数を保留記憶として記憶する保留記憶手段と、前記保留記憶に係る前記乱数に基づき前記大当り抽選を行い、該保留記憶を消化する抽選手段と、前記保留記憶に係る前記乱数に基づく前記大当り抽選が行われる前に、該乱数が特定値か否かを示す先読み情報を生成する先読み手段と、消化されていない前記保留記憶に対応する保留図柄を表示する保留図柄表示手段と、消化されていないいずれかの前記保留記憶について、該保留記憶に係る前記乱数に基づく前記大当り抽選の結果について事前に予告する先読み演出を行うか否かを決定する決定手段と、前記決定手段により前記先読み演出を行うことが決定された後、予め定められた新規保留数の前記保留記憶が新たに生成された時点で、該先読み演出の対象となる前記保留記憶についての前記先読み情報に基づき、該保留記憶に対応する前記保留図柄を変化させる先読み演出手段と、を備えることを特徴としても良い。
【００２９】
このような構成によれば、保留記憶が発生した直後には、該保留記憶についての先読み演出が行われるかどうかが判明せず、新たな保留記憶が発生した後に、先に発生した保留記憶についての先読み演出が行われる。このため、遊技者の止め打ちを防ぐことができ、弾球遊技機の稼働率を向上させることができる。
【００３０】
また、上述の弾球遊技機は、新規保留数を設定する設定手段をさらに備え、前記先読み手段は、前記新規保留数が多い程、前記大当り演出で当りとなる期待度がより高いことを示す態様で前記保留図柄を変化させても良い。
【００３１】
こうすることにより、遊技者に対し遊技球の発射を促すことができ、弾球遊技機の稼働率をより一層向上させることができる。
【図面の簡単な説明】
【００３２】
【図１】第一実施形態におけるパチンコ機の正面図である。
【図２】第一実施形態におけるパチンコ機の遊技盤の正面図である。
【図３】第一実施形態におけるパチンコ機の裏面図である。
【図４】第一実施形態におけるパチンコ機の電気的構成を示すブロック図である。
【図５】第一実施形態におけるメインルーチンについてのフローチャートである。
【図６】第一実施形態における始動入賞確認処理についてのフローチャートである。
【図７】第一実施形態における先読み判定処理についてのフローチャートである。
【図８】第一実施形態における当否判定処理についてのフローチャートである。
【図９】第一実施形態における当否判定処理についてのフローチャートである。
【図１０】第一実施形態における当否判定処理についてのフローチャートである。
【図１１】第一実施形態における当否判定処理についてのフローチャートである。
【図１２】第一実施形態における大当り遊技処理についてのフローチャートである。
【図１３】第一実施形態における大当り遊技処理についてのフローチャートである。
【図１４】第一実施形態における大当り遊技処理についてのフローチャートである。
【図１５】第一実施形態における保留表示処理についてのフローチャートである。
【図１６】第一実施形態における先読み実行タイマ減算処理についてのフローチャートである。
【図１７】第一実施形態における先読み演出の出現率や、第一条件に係る遅延時間の選択や、第二条件に係る後続保留数の選択率等について説明するための表である。
【図１８】第一実施形態における先読み演出の態様等について説明するための表である。
【図１９】第一実施形態における先読み演出が行われる際に表示される画面についての説明図である。
【図２０】第一実施形態における先読み演出が行われる際に表示される画面についての説明図である。
【図２１】第一実施形態における先読み演出が行われる際に表示される画面についての説明図である。
【図２２】第二実施形態における始動入賞確認処理についてのフローチャートである。
【図２３】第二実施形態における保留表示処理についてのフローチャートである。
【図２４】第二実施形態における先読み演出の出現率や、先読み演出の態様等について説明するための表である。
【図２５】第二実施形態における先読み演出が行われる際に表示される画面についての説明図である。
【図２６】第二実施形態における先読み演出が行われる際に表示される画面についての説明図である。
【図２７】第三実施形態における保留表示処理についてのフローチャートである。
【図２８】第三実施形態における先読み演出の出現率や、先読み演出の態様等について説明するための表である。
【図２９】第三実施形態における先読み演出が行われる際に表示される画面についての説明図である。
【図３０】第三実施形態における先読み演出が行われる際に表示される画面についての説明図である。
【発明を実施するための形態】
【００３３】
以下、本発明の実施形態について図面を用いて説明する。なお、本発明の実施の形態は、下記の実施形態に何ら限定されることはなく、本発明の技術的範囲に属する限り種々の形態を採りうる。
【００３４】
［第一実施形態］
［構成の説明］
（１）全体の構成について
図１に示すように、第一実施形態のパチンコ機５０は、縦長の固定外郭保持枠をなす外枠５１にて各構成を保持する構造を有している。外枠５１の左側上下にはヒンジ５３が設けられており、ヒンジ５３により、板ガラス６１が嵌め込まれた前枠（ガラス枠）５２及び後述の内枠が、外枠５１に対し開閉可能に構成される。また、前枠５２の板ガラス６１の奥には、内枠に保持された遊技盤１（図２）が設けられている。
【００３５】
前枠５２の上部の左右両側にはスピーカ６６が設置されており、これらにより遊技音が出力され、遊技の趣向性を向上させる。また前枠５２には、遊技状態に応じて発光する枠側装飾ランプ６５のほか、遊技の異常を報知するＬＥＤが設けられている。
【００３６】
前枠５２の下部には、上皿５５と下皿６３とが一体に形成されている。また、下皿６３の右側には発射ハンドル６４が設けられており、該発射ハンドル６４を時計回りに操作することにより発射装置が作動し、上皿５５から供給された遊技球が遊技盤１に向けて発射される。
【００３７】
下皿６３は、上皿５５から溢れた賞球を受けるよう構成されており、球抜きレバーを操作することで、下皿６３に溜まった遊技球を遊技店に備えられたドル箱に移すことができる。また、上皿５５の中央には、演出ボタン６７及びジョグダイヤル６８が設けられている。
【００３８】
本パチンコ機５０は、いわゆるＣＲ機であり、プリペイドカードの読み書きを行うプリペイドカードユニット（ＣＲユニット）５６が付属されていると共に、上皿５５の右側には球貸ボタン５７，精算ボタン５８，残高表示器５９が設けられている。
【００３９】
なお、図１の３９は、前枠５２及び前記内枠を外枠５１にロックするシリンダ錠であり、該シリンダ錠３９に所定の鍵を挿入して鍵を時計回りに操作すると、内枠が開放され、反時計回りに操作すると、前枠５２が開放される。
【００４０】
また、図２に示すように、遊技盤１には、外レール２ａと内レール２ｂとによって囲まれた略円形の遊技領域３が形成されている。遊技領域３には、その中央部にセンターケース５が装着され、センターケース５に向かって左横には、普通図柄作動ゲート１７が設置されている。普通図柄作動ゲート１７を遊技球が通過すると、普通図柄の当否抽選用の複数種類の乱数が抽出され、抽出された乱数に基づく当否判定（普通図柄抽選）が行なわれる。
【００４１】
センターケース５の直下には、遊技球の入球に起因して、特別図柄（特図とも記載）の変動表示を伴う大当り抽選が行われる第１始動口１１及び第２始動口１２が、上下に並んで配設されている。第１始動口１１は、常時遊技球が入球可能に構成されているが、第２始動口１２は、普通図柄抽選での当選により開放される普通電動役物として構成されており、普通図柄抽選での当選時のみ入球可能となっている。
【００４２】
第１，第２始動口１１，１２に遊技球が入球すると、複数種類の乱数が抽出され、保留記憶として記憶される。
普通電動役物として構成された第２始動口１２は、普通図柄抽選での当選時に、所定の回数にわたり、所定時間の開放が行われる。具体的には、通常の遊技状態であれば、１回の当選により約２．６秒の開放が２回行なわれる。
【００４３】
第２始動口１２の下方には、大当り抽選で当ると行われる大当り遊技の際に開放される特別電動役物からなる大入賞口１４が配設されている。また、遊技領域３における向かって左下の領域には、複数の普通入賞口３１〜３４が配設されている。
【００４４】
遊技盤１における向かって右下の領域には、７セグメントの特図表示装置９と、４個のＬＥＤからなる特図保留数表示装置１８と、２個のＬＥＤからなる普通図柄表示装置７と、４個のＬＥＤからなる普図保留数表示装置８が設置されている。
【００４５】
図２に示す遊技盤１のセンターケース５には、中央に演出図柄表示装置６（全体の図示は省略）のＬＣＤパネルが配設され、ＬＣＤパネルの画面上では、演出図柄の変動表示等を行うことで大当り抽選の結果を報知する大当り演出が行われる。
【００４６】
また、センターケース５には、周知のものと同様にワープ入口、ワープ樋、ステージ等が設けられている。
なお、遊技盤１の遊技領域３には多数の遊技釘４が植設されており、盤面最下部にはアウト口が設けられている。
【００４７】
また、図３に示すように、パチンコ機５０の裏側は、遊技盤１を脱着可能に取付ける内枠７０が外枠５１に収納された構成となっている。内枠７０は、前枠５２と同様、一方の側縁（図３に向かって右側）の上下位置が外枠５１に設けられたヒンジ５３に結合され、開閉可能に設置されている。内枠７０には、遊技球流下通路が形成されており、上方（上流）から球タンク７１、タンクレール７２、払出ユニット７３が設けられ、払出ユニット７３の中には払出装置が設けられている。この構成により、遊技盤１の入賞口に遊技球が入賞すると、球タンク７１に貯留されている所定個数の遊技球（賞球）が払出装置から払い出され、流下通路を通り上皿５５に払い出される。また、第一実施形態では、払出装置は、球貸ボタン５７の操作に応じて遊技球（貸球）を払い出すよう構成されている。
【００４８】
また、パチンコ機５０の裏側には、主制御装置８０、払出制御装置８１、演出図柄制御装置８２、サブ統合制御装置８３、発射制御装置、電源基板８５が設けられている。主制御装置８０，演出図柄制御装置８２，サブ統合制御装置８３は、遊技盤１に設けられ、払出制御装置８１，発射制御装置，電源基板８５は、内枠７０に設けられている。なお、図３では発射制御装置が記載されていないが、発射制御装置は、払出制御装置８１の奥側（遊技盤１側）に配されている。
【００４９】
また、球タンク７１の右側には、外部接続端子板７８が設けられており、外部接続端子板７８により、遊技状態や遊技結果を示す信号が図示しないホールコンピュータへ送られる。
【００５０】
（２）電気的構成について
次に、パチンコ機５０の電気的構成について説明する。このパチンコ機５０は、図４のブロック図に示すとおり、主制御装置８０を中心にして構成されている。なお、このブロック図には、単に信号を中継するいわゆる中継基板や電源基板等は記載されていない。また、詳細な図示は省略するが、主制御装置８０、払出制御装置８１、演出図柄制御装置８２、サブ統合制御装置８３のいずれもＣＰＵ、ＲＯＭ、ＲＡＭ、入力ポート、出力ポート等を備えている。また、発射制御装置８４、電源基板にはＣＰＵ、ＲＯＭ、ＲＡＭは設けられていないが、これに限るわけではなく、発射制御装置８４等にＣＰＵ、ＲＯＭ、ＲＡＭ等を設けてもよい。
【００５１】
主制御装置８０には、第１始動口１１に入球した遊技球を検出する第１始動口ＳＷ１１ａ、第２始動口１２に入球した遊技球を検出する第２始動口ＳＷ１２ａ、普通図柄作動ゲート１７に進入した遊技球を検出する普通図柄作動ＳＷ１７ａ、大入賞口１４に入球した遊技球を計数するためのカウントＳＷ１４ａ、一般入賞口３１〜３４に入球した遊技球を検出する一般入賞口ＳＷ３１ａ等からの検出信号が入力される。
【００５２】
主制御装置８０は搭載しているプログラムに従って動作して、上述の検出信号などに基づいて遊技の進行に関わる各種のコマンドを生成し、払出制御装置８１及びサブ統合制御装置８３に出力する。
【００５３】
また、主制御装置８０は、図柄表示装置中継端子板９０を介して接続されている特図表示装置９，特図保留数表示装置１８，普通図柄表示装置７，普図保留数表示装置８の表示を制御する。
【００５４】
さらに、主制御装置８０は、大入賞口ソレノイド１４ｂを制御することで大入賞口１４の開閉を制御し、普電役物ソレノイド１２ｂを制御することで第２始動口１２の開閉を制御する。
【００５５】
主制御装置８０からの出力信号は試験信号端子にも出力されほか、図柄変動や大当り等の管理用の信号が外部接続端子板７８に出力されてホールコンピュータ８７に送られる。
主制御装置８０と払出制御装置８１とは双方向通信が可能である。
【００５６】
払出制御装置８１は、主制御装置８０から送られてくるコマンドに応じて払出モータ２０を稼働させて賞球を払い出させる。本実施例においては、賞球として払い出される遊技球を計数するための払出ＳＷ２１の検出信号は払出制御装置８１に入力され、払出制御装置８１で賞球の計数が行われる構成を用いる。この他にも主制御装置８０と払出制御装置８１に払出ＳＷ２１の検出信号が入力され、主制御装置８０と払出制御装置８１の双方で賞球の計数を行う構成を用いることも考えられる。
【００５７】
なお、払出制御装置８１は、ガラス枠開放ＳＷ３５，内枠開放ＳＷ３６，球切れＳＷ２３，払出ＳＷ２１，満杯ＳＷ２２からの信号が入力され、満杯ＳＷ２２により下皿６３が満タンであることを示す信号が入力された場合や、球切れＳＷ２３により球タンク７１に遊技球が少ないあるいは無いことを示す信号が入力された場合には、払出モータ２０を停止させ、賞球の払出動作を停止させる。また、満杯ＳＷ２２，球切れＳＷ２３も、その状態が解消されるまで信号を出力し続ける構成になっており、払出制御装置８１は、その信号が出力されなくなることに起因して払出モータ２０の駆動を再開させる。
【００５８】
また、払出制御装置８１はＣＲユニット端子板２４を介してＣＲユニット５６と交信することで払出モータ２０を作動させ、貸し球を排出する。払出された貸し球は払出ＳＷ２１に検出され、検出信号は払出制御装置８１に入力される。また、ＣＲユニット端子板２４は精算表示装置２５とも双方向通信可能に接続されており、精算表示装置２５には、遊技球の貸出しを要求するための球貸ボタン５７、精算を要求するための精算ボタン５８が設けられている。
【００５９】
また、払出制御装置８１は、外部接続端子板７８を介して賞球に関する情報、枠（内枠７０，前枠５２）の開閉状態を示す情報などをホールコンピュータ８７に送信するほか、発射制御装置８４に対して発射停止信号を送信する。
【００６０】
なお、本実施例では遊技球を払出す構成であるが、入賞等に応じて発生した賞球を払い出さずに記憶する封入式の構成にしても良い。
発射制御装置８４は、発射モータ３０を制御して、遊技領域３に遊技球を発射させる。
【００６１】
なお、発射制御装置８４には、払出制御装置８１以外に、発射ハンドル６４からの回動量信号、タッチＳＷ２８からのタッチ信号、発射停止ＳＷ２９から発射停止信号が入力される。
【００６２】
回動量信号は、遊技者が発射ハンドル６４を操作することで出力され、タッチ信号は遊技者が発射ハンドル６４を触ることで出力され、発射停止スイッチ信号は、遊技者が発射停止ＳＷ２９を押すことで出力される。なお、タッチ信号が発射制御装置８４に入力されていなければ、遊技球は発射できないほか、発射停止スイッチ信号が入力されているときには、遊技者が発射ハンドル６４を触っていても遊技球は発射出来ないようになっている。
【００６３】
サブ統合制御装置８３は、主制御装置８０から送信されてくるデータ及びコマンドを受信し、それらを演出表示制御用、音制御用及びランプ制御用のデータに振り分けて、演出表示制御用のコマンド等は演出図柄制御装置８２に送信し、音制御用及びランプ制御用は自身に含まれている各制御部位（音声制御装置及びランプ制御装置としての機能部）に分配する。
【００６４】
そして、音声制御装置としての機能部は、音声制御用のデータに基づいて音ＬＳＩを作動させることによってスピーカ６６からの音声出力を制御し、ランプ制御装置としての機能部は、ランプ制御用のデータに基づいてランプドライバを作動させることによって各種ＬＥＤ、ランプ２６を制御する。
【００６５】
また、サブ統合制御装置８３には、演出ボタン６７，ジョグダイヤル６８が接続されており、遊技者が演出ボタン６７，ジョグダイヤル６８を操作した際には、その信号がサブ統合制御装置８３に入力される。
【００６６】
サブ統合制御装置８３と演出図柄制御装置８２とは双方向通信が可能である。
演出図柄制御装置８２は、サブ統合制御装置８３から受信したデータ及びコマンド（共に主制御装置８０から送信されてきたものとサブ統合制御装置８３が生成したものとがある）に基づいて演出図柄表示装置６を制御して、演出図柄等の演出画像を表示させる。
【００６７】
［動作の説明］
次に、第一実施形態のパチンコ機５０の動作について説明する。
第一実施形態のパチンコ機５０は、常時入賞が可能な第１始動口１１と、上述した普通図柄抽選での当選により一定期間にわたり開放され、入賞が可能となる第２始動口１２が設けられており、第１，第２始動口１１，１２への入賞に起因して抽出された乱数による大当り抽選が行われる。また、パチンコ機５０では、第１，第２始動口１１，１２への入賞により抽出された乱数が最大４個まで保留記憶として記憶され、各保留記憶に対応する保留図柄が表示されると共に、大当り抽選で当たると、所定ラウンド数の大当り遊技が行われる。
【００６８】
そして、大当り遊技の終了後は、一定期間（所定数の大当り抽選が行われるまでの期間）にわたり、大当り抽選で当る確率が上昇する確変モードとなり、また、これと同時に、普通図柄抽選での当選確率が上昇すると共に、普通図柄抽選での当選時の第２始動口１２の開放時間が延長され、さらに普通図柄の変動時間が短縮される時短モード（開放延長モード）となる。
【００６９】
また、パチンコ機５０では、保留記憶についての大当り抽選の結果を予告する先読み演出が行われる。パチンコ機５０では、先読み演出を行うことが決定された後、所定時間の経過により第一条件が成立すると共に、該決定の後、予め定められた数（後続保留数）の保留記憶が新たに発生することで第二条件が成立する。そして、第一条件、或いは第二条件が成立した際に、先読み演出の対象となる保留記憶よりも後に発生した保留記憶（後続保留記憶）に対応する保留図柄（後続保留図柄）を当りの期待度に応じて変化させることで、大当り抽選の結果が予告される。
【００７０】
なお、言うまでも無く、先読み演出は、大当り抽選の結果を常に正確に予告するというものではなく、予告が外れる場合もあり、無論、先読み演出が行われていない保留記憶による大当り抽選で当ることもある。
【００７１】
以下では、第一実施形態のパチンコ機５０の動作について詳細に説明すると共に、先読み演出について説明する。
（１）メインルーチンについて
まず、パチンコ機５０の主制御装置８０におけるメインルーチンについて、図５に記載のフローチャートを用いて説明する。なお、このメインルーチンは、２ｍｓ周期のタイマ割り込み処理として起動される。
【００７２】
Ｓ１０では、主制御装置８０は、正常なタイマ割り込みによりメインルーチンが起動されたか否かを判定し、肯定判定が得られた場合には（Ｓ１０：Ｙｅｓ）、Ｓ２０に処理を移行すると共に、否定判定が得られた場合には（Ｓ１０：Ｎｏ）、Ｓ１５に処理を移行する。
【００７３】
Ｓ１５では、主制御装置８０は、ＣＰＵやＩ／Ｏ等の初期設定を行い、Ｓ７５に処理を移行する。
一方、Ｓ１０で肯定判定が得られた場合には、主制御装置８０は、初期値乱数の更新（Ｓ２０），大当り決定用乱数の更新（Ｓ２５），大当り図柄決定用乱数の更新（Ｓ３０），当り決定用乱数の更新（Ｓ３５），リーチ判定用乱数の更新（Ｓ４０），変動パターン決定用乱数の更新（Ｓ４５）を行う。
【００７４】
そして、主制御装置８０は、始動口等といった入賞口への遊技球の入賞を検出する入賞確認処理と（Ｓ５０），始動口への入賞に起因して大当り抽選を行う当否判定処理と（Ｓ５５）、大当り抽選で当った際に行われる大当り遊技を制御する大当り遊技処理と（Ｓ６０）を行う。また、遊技者の不正行為を検出する不正監視処理と（Ｓ６５）、ホールコンピュータ８７等に各種情報を送信する各出力処理と（Ｓ７０）を実行する。
【００７５】
また、Ｓ７５では、主制御装置８０は、次のタイマ割込みが発生してメインルーチンが起動されるまで、初期値乱数の更新を繰り返し行う。
（２）始動入賞確認処理について
次に、第１，第２始動口１１，１２への入賞を検出し、該入賞に応じて保留記憶の生成等を行う始動入賞確認処理について、図６に記載のフローチャートを用いて説明する。なお、本処理は、メインルーチンから実行される入賞確認処理（Ｓ５０）からコールされるサブルーチンとして構成されている。
【００７６】
Ｓ１００では、主制御装置８０は、第１，第２始動口ＳＷ１１ａ，１２ａの検出信号に基づき、第１，第２始動口１１，１２への遊技球の入賞が発生したかを判定する。そして、肯定判定の場合は（Ｓ１００：Ｙｅｓ）、Ｓ１０５に処理を移行し、否定判定の場合は（Ｓ１００：Ｎｏ）、本処理を終了する。
【００７７】
Ｓ１０５では、主制御装置８０は、保留記憶の数が上限値（一例として４）か否かを判定する。そして、否定判定の場合は（Ｓ１０５：Ｎｏ）、Ｓ１１０に処理を移行し、肯定判定の場合は（Ｓ１０５：Ｙｅｓ）、本処理を終了する。
【００７８】
Ｓ１１０では、主制御装置８０は、大当り抽選に用いられる大当り決定用乱数や、大当り抽選で当った際に停止表示される図柄（当り図柄）を決定するための大当り図柄決定用乱数や、大当り演出において、リーチ状態となった後に外れを示す演出図柄を停止表示させる演出（リーチ外れ）を行うか否かを決定するためのリーチ判定用乱数や、特別図柄の変動時間等を決定するための変動パターン決定用乱数等を抽出し、これらの乱数を保留記憶として記憶する。そして、消化されていない保留記憶の数を示す保留数コマンドを、サブ統合制御装置８３に送信し、Ｓ１１５に処理を移行する。
【００７９】
Ｓ１１５では、主制御装置８０は、新たに発生した保留記憶に対応する大当り決定用乱数等の値について判定する先読み判定処理を実行し、本処理を終了する。
（３）先読み判定処理について
次に、新たに発生した保留記憶に対応する大当り決定用乱数等の値について判定する先読み判定処理について、図７に記載のフローチャートを用いて説明する。なお、本処理は、始動入賞確認処理からコールされる。
【００８０】
Ｓ１５０では、主制御装置８０は、新たに発生した保留記憶に係る大当り決定用乱数の値が特定値（大当り抽選で当りとなる値）か否かを判定し、肯定判定が得られた場合には（Ｓ１５０：Ｙｅｓ）、Ｓ１５５に処理を移行すると共に、否定判定が得られた場合には（Ｓ１５０：Ｎｏ）、Ｓ１６０に処理を移行する。
【００８１】
Ｓ１５５では、主制御装置８０は、新たに発生した保留記憶に係る大当り決定用乱数の値が上記特定値であることを示す先読みコマンド１を生成してサブ統合制御装置８３に送信し、本処理を終了する。
【００８２】
一方、Ｓ１６０では、主制御装置８０は、新たに発生した保留記憶に係るリーチ判定用乱数の値が特定値（大当り演出でリーチ外れとなる値）か否かを判定し、肯定判定が得られた場合には（Ｓ１６０：Ｙｅｓ）、Ｓ１６５に処理を移行すると共に、否定判定が得られた場合には（Ｓ１６０：Ｎｏ）、Ｓ１７０に処理を移行する。
【００８３】
Ｓ１６５では、主制御装置８０は、新たに発生した保留記憶に係るリーチ判定用乱数の値が上記特定値であることを示す先読みコマンド２を生成してサブ統合制御装置８３に送信し、本処理を終了する。
【００８４】
また、Ｓ１７０では、主制御装置８０は、新たに発生した保留記憶に係る大当り決定用乱数，リーチ判定用乱数が上記特定値ではないことを示す先読みコマンド３を生成してサブ統合制御装置８３に送信し、本処理を終了する。
【００８５】
（４）当否判定処理について
次に、保留記憶として記憶された大当り決定用乱数により大当り抽選を行う当否判定処理について、図８〜１１のフローチャートを用いて説明する。なお、本処理は、メインルーチンから実行される処理である。
【００８６】
まず、図８に関して、Ｓ２００では、主制御装置８０は、特別電動役物の作動中、すなわち、大当り遊技の実行中であるか否かを判定する。そして、肯定判定の場合には（Ｓ２００：Ｙｅｓ）、本処理を終了し、否定判定の場合には（Ｓ２００：Ｎｏ）、Ｓ２０５に処理を移行する。
【００８７】
Ｓ２０５では、主制御装置８０は、特図の変動表示中か否かを判定する。そして、肯定判定の場合には（Ｓ２０５：Ｙｅｓ）、図１０のＳ２８０に処理を移行し、否定判定の場合には（Ｓ２０５：Ｎｏ）、Ｓ２１０に処理を移行する。
【００８８】
Ｓ２１０では、主制御装置８０は、特図の確定表示中か否かを判定する。そして、肯定判定の場合には（Ｓ２１０：Ｙｅｓ）、図１１のＳ２９０に処理を移行し、否定判定の場合には（Ｓ２１０：Ｎｏ）、図９のＳ２１５に処理を移行する。
【００８９】
続いて図９に関して、Ｓ２１５では、主制御装置８０は、保留記憶の有無について判定し、肯定判定の場合には（Ｓ２１５：Ｙｅｓ）、Ｓ２２０に処理を移行すると共に、否定判定の場合には（Ｓ２１５：Ｎｏ）、本処理を終了する。
【００９０】
Ｓ２２０では、主制御装置８０は、保留記憶の数をデクリメントすると共に、最も古い保留記憶を選択し、後述するＳ２３０、Ｓ２３５、Ｓ２４５、Ｓ２５０、Ｓ２５５、Ｓ２６０、及びＳ２６５等にて参照するために、該保留記憶に記憶された情報（乱数値等の数値データ）を大当り判定用の所定のバッファに移動処理して、Ｓ２２５に処理を移行する。
【００９１】
Ｓ２２５では、主制御装置８０は、確変モードであることを示す確変フラグが１か否かを判定し、肯定判定の場合には（Ｓ２２５：Ｙｅｓ）、Ｓ２３０に処理を移行すると共に、否定判定の場合には（Ｓ２２５：Ｎｏ）、Ｓ２３５に処理を移行する。
【００９２】
Ｓ２３０では、主制御装置８０は、選択された保留記憶に係る大当り判定用乱数と、確変モードに対応する当否判定用テーブル（確変テーブル）に基づき、大当り抽選を実行し、該抽選に当るか否かを判定し、該保留記憶を消化する。そして、Ｓ２４０に処理を移行する。
【００９３】
一方、Ｓ２３５では、主制御装置８０は、選択された保留記憶に係る大当り判定用乱数と、通常遊技状態に対応する当否判定用テーブル（通常テーブル）に基づき、大当り抽選を実行し、該抽選に当るか否かを判定し、該保留記憶を消化する。そして、Ｓ２４０に処理を移行する。
【００９４】
Ｓ２４０では、主制御装置８０は、Ｓ２３０又はＳ２３５の判定結果を参照して、大当り抽選で当ったか否かを判定し、肯定判定の場合には（Ｓ２４０：Ｙｅｓ）、Ｓ２４５に処理を移行すると共に、否定判定の場合には（Ｓ２４０：Ｎｏ）、Ｓ２６０に処理を移行する。
【００９５】
Ｓ２４５では、主制御装置８０は、消化した保留記憶に係る大当り図柄決定用乱数に基づき大当り図柄を決定することで、当該大当り図柄に対応して予め定められた大当り遊技のラウンド数等を決定する。そして、Ｓ２５０に処理を移行する。
【００９６】
Ｓ２５０では、主制御装置８０は、消化した保留記憶に係る変動パターン決定用乱数等に基づき、大当り演出における特別図柄の変動時間等を決定し、Ｓ２５５に処理を移行する。
【００９７】
Ｓ２５５では、主制御装置８０は、大当り遊技のラウンド数、大入賞口の開放パターン、大当り遊技に係る演出時間、インターバル時間、及び大当り遊技の演出態様等を設定すると共に、大当り遊技後に確変モード或いは時短モードになるように、確変フラグや時短フラグの設定状況を大当り遊技が終了するまで一旦モードバッファに退避するよう設定し、Ｓ２７０に処理を移行する。
【００９８】
一方、Ｓ２４０で否定判定が得られた場合に移行する（すなわち、大当り抽選で外れた際に移行する）Ｓ２６０では、主制御装置８０は、消化した保留記憶に係る変動パターン決定用乱数等に基づき、大当り演出における特別図柄の変動時間等を決定し、Ｓ２６５に処理を移行する。
【００９９】
Ｓ２６５では、主制御装置８０は、確変モード中に実行可能な大当り抽選の残り回数を示すカウンタや、時短モード中に実行可能な大当り抽選の残り回数を示すカウンタの更新等を行い、Ｓ２７０に処理を移行する。
【０１００】
Ｓ２７０では、主制御装置８０は、上述したＳ２２０においてデクリメントした保留記憶の数を示す保留数コマンドをサブ統合制御装置８３に送信し、Ｓ２７５に処理を移行する。
【０１０１】
Ｓ２７５では、主制御装置８０は、特図の変動表示を開始すると共に、サブ統合制御装置８３に対し、特別図柄に対応して変動表示する演出図柄の変動時間等を示す変動開始コマンドを送信することで大当り演出を開始させ、本処理を終了する。
【０１０２】
続いて図１０に関して、特図の変動表示中に移行するＳ２８０では、主制御装置８０は、特図の変動時間が経過したか否かを判定し、肯定判定の場合には（Ｓ２８０：Ｙｅｓ）、Ｓ２８５に処理を移行すると共に、否定判定の場合には（Ｓ２８０：Ｎｏ）、本処理を終了する。
【０１０３】
Ｓ２８５では、主制御装置８０は、特図の変動表示を終了し、特図の確定図柄を表示させると共に、サブ統合制御装置８３に対し演出図柄の確定表示を行わせる図柄確定コマンドを送信し、本処理を終了する。
【０１０４】
続いて図１１に関して、特図の確定表示中に移行するＳ２９０では、主制御装置８０は、特図の確定表示の継続時間が終了したか否かを判定する。そして、肯定判定の場合には（Ｓ２９０：Ｙｅｓ）、Ｓ２９５に処理を移行すると共に、否定判定の場合には（Ｓ２９０：Ｎｏ）、本処理を終了する。
【０１０５】
Ｓ２９５では、主制御装置８０は、特図の確定表示を終了し、Ｓ３００に処理を移行する。
Ｓ３００では、主制御装置８０は、確定表示されていた特図が大当り時のものであるかを判定し、肯定判定の場合には（Ｓ３００：Ｙｅｓ）、Ｓ３０５に処理を移行すると共に、否定判定の場合には（Ｓ３００：Ｎｏ）、Ｓ３４０に処理を移行する。
【０１０６】
Ｓ３０５では、主制御装置８０は、確変モードであることを示す確変フラグを参照すると共に、確変フラグが１である場合には確変フラグをクリアし（Ｓ３１０）、その後、Ｓ３１５に処理を移行する。
【０１０７】
Ｓ３１５では、主制御装置８０は、時短モードであることを示す時短フラグを参照すると共に、時短フラグが１である場合には時短フラグをクリアし（Ｓ３２０）、その後、Ｓ３２５に処理を移行する。
【０１０８】
そして、主制御装置８０は、条件装置作動開始処理（Ｓ３２５），役物連続作動装置作動開始処理（Ｓ３３０），大当り開始演出処理（Ｓ３３５）を順次実行することで、大当り遊技の態様を示すコマンドや、大当り遊技の開始を指示するコマンドをサブ統合制御装置８３に送信する等して大当り遊技を開始し、本処理を終了する。
【０１０９】
一方、Ｓ３００にて否定判定が得られた場合に移行するＳ３４０では、主制御装置８０は、確変フラグを参照し、該フラグが１である場合には（Ｓ３４０：Ｙｅｓ）、確変モード中に実行可能な大当り抽選の残り回数（確変回数）を参照する（Ｓ３４５）。そして、確変回数が０である場合には（Ｓ３４５：Ｙｅｓ）、確変フラグをクリアし（Ｓ３５０）、Ｓ３５５に処理を移行する。
【０１１０】
Ｓ３５５では、主制御装置８０は、時短フラグを参照し、該フラグが１である場合には（Ｓ３５５：Ｙｅｓ）、時短モード中に実行可能な大当り抽選の残り回数（時短回数）を参照する（Ｓ３６０）。そして、時短回数が０である場合には（Ｓ３６０：Ｙｅｓ）、時短フラグをクリアし（Ｓ３６５）、Ｓ３７０に処理を移行する。
【０１１１】
Ｓ３７０では、主制御装置８０は、状態指定コマンド送信処理を実行し、本処理を終了する。
（５）大当り遊技処理について
次に、大当り遊技の進行を制御する大当り遊技処理について、図１２〜１４のフローチャートを用いて説明する。本処理は、メインルーチンから実行される処理である。
【０１１２】
Ｓ４００では、主制御装置８０は、役物連続作動装置の作動中、すなわち、大当り遊技の実行中であるか否かを判定する。そして、肯定判定の場合には（Ｓ４００：Ｙｅｓ）、Ｓ４０５に処理を移行し、否定判定の場合には（Ｓ４００：Ｎｏ）、本処理を終了する。
【０１１３】
Ｓ４０５では、主制御装置８０は、大入賞口１４の開放中であるか否かを判定し、肯定判定の場合には（Ｓ４０５：Ｙｅｓ）、図１３のＳ４３０に処理を移行すると共に、否定判定の場合には（Ｓ４０５：Ｎｏ）、Ｓ４１０に処理を移行する。
【０１１４】
Ｓ４１０では、主制御装置８０は、大当り遊技における各ラウンドのインターバル中であるか否かを判定し、肯定判定の場合には（Ｓ４１０：Ｙｅｓ）、図１３のＳ４５０に処理を移行すると共に、否定判定の場合には（Ｓ４１０：Ｎｏ）、Ｓ４１５に処理を移行する。
【０１１５】
Ｓ４１５では、主制御装置８０は、大当り遊技の終了演出中であるか否かを判定し、肯定判定の場合には（Ｓ４１５：Ｙｅｓ）、図１４のＳ４７０に処理を移行すると共に、否定判定の場合には（Ｓ４１５：Ｎｏ）、Ｓ４２０に処理を移行する。
【０１１６】
Ｓ４２０では、主制御装置８０は、大当り遊技における開始演出時間が経過したか否かを判定し、肯定判定の場合には（Ｓ４２０：Ｙｅｓ）、Ｓ４２５に処理を移行すると共に、否定判定の場合には（Ｓ４２０：Ｎｏ）、本処理を終了する。
【０１１７】
Ｓ４２５では、主制御装置８０は、大入賞口１４を開放させる大入賞口開放処理を実行し、本処理を終了する。
続いて図１３に関して、大入賞口１４の開放中に移行するＳ４３０では、主制御装置８０は、大入賞口１４に入賞した遊技球の数が１０個となったか否かを判定する。そして、肯定判定の場合には（Ｓ４３０：Ｙｅｓ）、Ｓ４４０に処理を移行すると共に、否定判定の場合には（Ｓ４３０：Ｎｏ）、Ｓ４３５に処理を移行する。
【０１１８】
Ｓ４３５では、主制御装置８０は、大入賞口１４の開放時間が終了したか否かを判定し、肯定判定の場合には（Ｓ４３５：Ｙｅｓ）、Ｓ４４０に処理を移行すると共に、否定判定の場合には（Ｓ４３５：Ｎｏ）、本処理を終了する。
【０１１９】
Ｓ４４０では、主制御装置８０は、大入賞口１４を閉鎖させる大入賞口閉鎖処理を実行し、Ｓ４４５に処理を移行する。
Ｓ４４５では、主制御装置８０は、大当り遊技の各ラウンドのインターバルを設定する大当りインターバル処理を実行し、本処理を終了する。
【０１２０】
一方、各ラウンドのインターバル中に移行するＳ４５０では、主制御装置８０は、大当り遊技のインターバル時間が経過したか否かを判定し、肯定判定の場合には（Ｓ４５０：Ｙｅｓ）、Ｓ４５５に処理を移行すると共に、否定判定の場合には（Ｓ４５０：Ｎｏ）、本処理を終了する。
【０１２１】
Ｓ４５５では、主制御装置８０は、大当り遊技の最終ラウンドか否かを判定し、肯定判定の場合には（Ｓ４５５：Ｙｅｓ）、Ｓ４６０に処理を移行すると共に、否定判定の場合には（Ｓ４５５：Ｎｏ）、Ｓ４６５に処理を移行する。
【０１２２】
Ｓ４６０では、主制御装置８０は、大当り遊技を終了させる際の演出を行う大当り終了演出処理を実行し、本処理を終了する。
一方、Ｓ４６５では、主制御装置８０は、大入賞口１４を開放させる大入賞口開放処理を実行し、本処理を終了する。
【０１２３】
続いて図１４に関して、大当り遊技の終了演出中に移行するＳ４７０では、主制御装置８０は、該終了演出の時間が終了したか否かを判定し、肯定判定の場合には（Ｓ４７０：Ｙｅｓ）、Ｓ４７５に処理を移行すると共に、否定判定の場合には（Ｓ４７０：Ｎｏ）、本処理を終了する。
【０１２４】
続くＳ４７５，Ｓ４８０では、主制御装置８０は、役物連続作動装置と条件装置とを停止させ、Ｓ４８５に処理を移行する。
Ｓ４８５では、主制御装置８０は、大当り遊技後に確変モードに移行するか否かを判定し、肯定判定の場合には（Ｓ４８５：Ｙｅｓ）、確変モード中に実行可能な大当り抽選の回数（確変回数）を設定すると共に（Ｓ４９０）、確変フラグをセットし（Ｓ４９５）、Ｓ５００に処理を移行する。
【０１２５】
Ｓ５００では、主制御装置８０は、大当り遊技後に時短モードに移行するか否かを判定し、肯定判定の場合には（Ｓ５００：Ｙｅｓ）、時短モード中に実行可能な大当り抽選の回数（時短回数）を設定すると共に（Ｓ５０５）、時短フラグをセットし（Ｓ５１０）、Ｓ５１５に処理を移行する。
【０１２６】
Ｓ５１５，Ｓ５２０では、主制御装置８０は、サブ統合制御装置８３に対し、大当り遊技に関する演出を終了させる大当り終了コマンドを送信する処理と、状態指定コマンド送信処理とを実行し、本処理を終了する。
【０１２７】
（６）保留表示処理について
次に、保留記憶に対応する保留図柄を演出図柄表示装置６に表示する保留表示処理について、図１５に記載のフローチャートを用いて説明する。なお、本処理は、サブ統合制御装置８３にて定期的（例えば、２ｍｓ周期のタイマ割り込み処理）に実行される処理である。
【０１２８】
Ｓ６００では、サブ統合制御装置８３は、主制御装置８０から保留数コマンド（保留個数情報）を受信したか否かを判定し、肯定判定が得られた場合には（Ｓ６００：Ｙｅｓ）、Ｓ６０５に処理を移行すると共に、否定判定が得られた場合には（Ｓ６００：Ｎｏ）、本処理を終了する。保留数コマンドは、始動入賞が発生して保留個数が増加した場合、又は特別図柄の変動が開始されるに際して保留が消化されて保留個数が減少した場合、に受信する。
【０１２９】
Ｓ６０５では、サブ統合制御装置８３は、主制御装置８０から先読みコマンド（先読み情報）を受信したか否かを判定し、肯定判定が得られた場合には（Ｓ６０５：Ｙｅｓ）、Ｓ６１０に処理を移行すると共に、否定判定が得られた場合には（Ｓ６０５：Ｎｏ）、Ｓ６７０に処理を移行する。
【０１３０】
Ｓ６１０では、サブ統合制御装置８３は、先読みフラグを参照することで先読み演出を行うことが未決定であるか否か、つまり先読み演出中であるか否か、を判定し、肯定判定が得られた場合には（Ｓ６１０：Ｙｅｓ）、Ｓ６１５に処理を移行すると共に、否定判定が得られた場合には（Ｓ６１０：Ｎｏ）、Ｓ６４５に処理を移行する。
【０１３１】
Ｓ６１５では、サブ統合制御装置８３は、先読みコマンドの種別（換言すれば、新たに発生した保留記憶に係る大当り決定用乱数，リーチ判定用乱数の値が上述した特定値であるか否か）と、先読み演出の実行可否抽選に係る乱数に基づく抽選結果とに基づき、新たに発生した保留記憶について先読み演出を行うか否かを決定する。そして、先読み演出を行う場合には（Ｓ６２０：Ｙｅｓ）、Ｓ６２５に処理を移行し、先読み演出を行わない場合には（Ｓ６２０：Ｎｏ）、Ｓ６７０に処理を移行する。
【０１３２】
Ｓ６２５では、サブ統合制御装置８３は、先読みコマンドの種別と、抽出した乱数に基づく抽選結果とに基づき、第一条件成立時に行われる先読み演出の信頼度（先読み演出を行う保留記憶に基づき行われる大当り抽選で当る確率、換言すれば、該保留記憶により当りとなることへの期待度）を決定する。そして、第一条件成立時における後続保留記憶の個数として１〜４個の個数が想定されるが、第一条件成立時の後続保留記憶が１〜４個である各場合において、先読み演出において後続保留図柄に替えて表示される図柄を決定した信頼度に応じて選択し、演出設定バッファに記憶する。
【０１３３】
さらに、先読みコマンドの種別と、新たに抽出した乱数に基づく抽選結果とに基づき、第二条件成立時に行われる先読み演出の信頼度を決定し、第二条件成立時の後続保留記憶が１〜４個である各場合において、先読み演出において後続保留図柄に替えて表示される図柄を決定した信頼度に応じて選択し、演出設定バッファに記憶する。その後、Ｓ６３０に処理を移行する。なお、先読み演出の信頼度や、先読み演出において表示される図柄については、後述する。
【０１３４】
Ｓ６３０では、サブ統合制御装置８３は、先読み実行タイマに対し、予め定められた遅延時間に対応するタイマ値を設定することで、先読み演出として後続保留図柄を変化させるタイミング（以後、変化タイミングと記載）を該遅延時間が経過した時点に設定し、Ｓ６３５に処理を移行する。なお、該遅延時間が経過すると、上述の第一条件が成立したものとみなされる。また、遅延時間としてどのような時間が用いられるかについては、後述する。
【０１３５】
Ｓ６３５では、サブ統合制御装置８３は、先読み実行カウンタに、ランダムに選択された後続保留数（１〜４個のうちのいずれか）を設定することで、変化タイミングを後続保留数の後続保留記憶が発生した時点に設定し、Ｓ６４０に処理を移行する。なお、後続保留記憶の数が後続保留数に達すると、上述の第二条件が成立したものとみなされる。
【０１３６】
Ｓ６４０では、サブ統合制御装置８３は、先読み演出を行うことが決定されたことを示す先読みフラグをセットし、Ｓ６７０に処理を移行する。
一方、Ｓ６１０にて先読み演出を行うことが決定済みであると判定された場合に移行するＳ６４５では、サブ統合制御装置８３は、先読み実行カウンタをデクリメントし、Ｓ６５０に処理を移行する。
【０１３７】
Ｓ６５０では、サブ統合制御装置８３は、先読み実行カウンタが０であるか否か（換言すれば、第二条件が成立したか否か）を判定し、肯定判定が得られた場合には（Ｓ６５０：Ｙｅｓ）、Ｓ６５５に処理を移行すると共に、否定判定が得られた場合には（Ｓ６５０：Ｎｏ）、Ｓ６７０に処理を移行する。
【０１３８】
Ｓ６５５では、サブ統合制御装置８３は、演出図柄制御装置８２に対し、新たに発生した保留記憶に対応する保留図柄を表示させると共に、演出設定バッファの内容に基づき後続保留数に応じて後続保留図柄を変化させ、Ｓ６６０に処理を移行する。
【０１３９】
Ｓ６６０では、サブ統合制御装置８３は、先読みフラグをクリアすると共に、先読み実行タイマをクリアし（Ｓ６６５）、Ｓ６７０に処理を移行する。
Ｓ６７０では、サブ統合制御装置８３は、第二条件が成立していない場合に、演出図柄制御装置８２に対し、新たに発生した保留記憶に対応する保留図柄を表示させると共に、該保留記憶について先読み演出を行うことが決定された場合には、該保留記憶に対応して、先読み演出が行われない場合の保留図柄（通常保留図柄）とは異なる先読み示唆保留図柄を表示させ、本処理を終了する。
【０１４０】
（７）先読み実行タイマ減算処理について
次に、先読み演出を行うことが決定された後、遅延時間が経過した際に（第一条件が成立した際に）、後続保留図柄を変化させる先読み実行タイマ減算処理について、図１６に記載のフローチャートを用いて説明する。なお、本処理は、上述した保留表示処理に続いて、サブ統合制御装置８３にて定期的（例えば、２ｍｓ周期のタイマ割り込み処理）に実行される処理である。
【０１４１】
Ｓ７００では、サブ統合制御装置８３は、先読みフラグを参照することで先読み演出を行うことが決定済みであるか否かを判定し、肯定判定が得られた場合には（Ｓ７００：Ｙｅｓ）、Ｓ７０５に処理を移行すると共に、否定判定が得られた場合には（Ｓ７００：Ｎｏ）、本処理を終了する。
【０１４２】
Ｓ７０５では、サブ統合制御装置８３は、先読み実行タイマを更新するとともに、先読み実行タイマがタイムアウトしたか否か、すなわち第一条件が成立したか否かを判定し（Ｓ７１０）、肯定判定が得られた場合には（Ｓ７１０：Ｙｅｓ）、Ｓ７１５に処理を移行すると共に、否定判定が得られた場合には（Ｓ７１０：Ｎｏ）、本処理を終了する。
【０１４３】
Ｓ７１５では、サブ統合制御装置８３は、演出図柄制御装置８２に対し、演出設定バッファの内容に基づき、現在の後続保留記憶の個数に応じて後続保留図柄を変化させ、Ｓ７２０に処理を移行する。
【０１４４】
Ｓ７２０では、サブ統合制御装置８３は、先読みフラグをクリアし、本処理を終了する。
このように、本実施形態では、同じタイマ割り込み処理内において、上述した先読み演出実行処理Ｓ６５５を備えた保留表示処理と、これに続いて先読み演出実行処理Ｓ７１５を備えた先読み実行タイマ減算処理を実行するので、第一条件或いは第二条件の何れか早く成立したことに基づいて先読み演出が実行される。また、仮に同時に、つまり同じタイマ割り込み処理内で何れの条件も成立するような場合が発生しても、本実施形態では先ず第二条件の成立可否をＳ６５５にて判定することにより、優先して実行するように構成しているので、不具合が発生するおそれはない。なお、第一条件と第二条件の優先順位を逆転してプログラムを構成しても良い。
【０１４５】
（８）先読み演出の内容について
次に、先読み演出の内容について説明する。
図１７（ａ）に記載の表は、大当り演出でノーマル外れ（大当り抽選で外れとなる場合に大当り演出でリーチ外れとならないこと），リーチ外れとなる確率と、大当り抽選で当る確率を示すと共に、ノーマル外れ，リーチ外れ，当りとなる各保留記憶において、それぞれ、先読み演出が行われる確率（先読み出現率）を示している。
【０１４６】
また、図１７（ｂ）に記載の表は、先読み演出を行う保留記憶が、何番目に消化される保留記憶として生じたものであるか（消化順番）に応じて設定される、第一条件に係る遅延時間を示している。該表が示すように、消化順番が若い程、短い遅延時間が設定される。このように構成することで、消化順番が若い、すなわち比較的早く消化されてしまう保留記憶が先読み演出の対象として選択された場合に、遅延時間が経過したときには既に消化してしまって先読み演出が実行出来ないという不具合が発生し難くなる、という効果を奏する。
【０１４７】
なお、遅延時間の設定方法は、これに限定されることは無く、例えば、抽選により遅延時間を定めても良い。こうすることにより、先読み演出に変化を持たせることができる。
また、図１７（ｃ）に記載の表は、第二条件に係る後続保留数の選択率を示している。該表が示すように、後続保留数として１〜４の数値が設定されると共に、各数値は１／４の確率で選択される。なお、後続保留数として各数値が選択される確率を必ずしも均等にする必要は無く、いずれかの数値が選択される確率を高くしても良い。こうすることにより、先読み演出に変化を持たせることができる。
【０１４８】
また、均等及び不均等に設定した複数種類のテーブルを予め備え、遊技状態に応じて何れかのテーブルを選択するように構成しても良い。例えば、後続保留数の発生する可能性の比較的に高い時短遊技状態中（電チューサポート状態中）には、後続保留数が多い（例えば３個や４個）場合に選択率を高く偏らせて、後続保留数の発生する可能性の比較的に低い通常遊技状態中（非電チューサポート状態中）には、後続保留数が少ない（例えば１個や２個）場合に選択率を高く偏らせて構成しても良い。このように構成することによって、後続保留数の発生頻度に差がある各々の遊技状態に応じた、好適な演出を実現することが可能となる。
【０１４９】
次に、先読み演出において後続保留図柄がどのように変化するかについて、図１８に記載の表を用いて説明する。
先読み演出として、第一条件或いは第二条件成立時の後続保留記憶の個数に応じた複数の種類が設けられていると共に、各個数に対応する先読み演出として、さらに、信頼度の異なる複数の種類が設けられている。
【０１５０】
具体的には、第一条件或いは第二条件成立時の後続保留記憶の個数が１〜３個である各場合の先読み演出として４種類の態様が設けられており、各態様の信頼度は、それぞれ、「小」，「中」，「大」，「確定」（先読み演出の対象となった保留記憶で必ず当ることを意味する）となっている。
【０１５１】
図１８（ａ）に記載の表は、第一条件或いは第二条件成立時の後続保留記憶の数が１個である場合に、各信頼度の先読み演出の態様において、後続保留図柄がどのような図柄に変化するかを示している。また、該表は、先読み演出を行う保留記憶に基づく大当り演出で「ノーマル外れ」，「リーチ外れ」となる場合と、該保留記憶に基づく大当り抽選で「当り」となる場合において、それぞれ、各態様の先読み演出が行われる確率（出現率）を示している。
【０１５２】
また、図１８（ｂ），（ｃ）に記載の表もまた、同様に、第一条件或いは第二条件成立時の後続保留記憶の数が２個，３個である場合に、各信頼度に対応する先読み演出の態様において、後続保留図柄がどのような図柄に変化するかを示すと共に、「ノーマル外れ」，「リーチ外れ」，「当り」の各場合における、各態様の先読み演出の出現率を示している。
【０１５３】
一方、第一条件或いは第二条件成立時の後続保留記憶の数が４個である場合の先読み演出として２種類の態様が設けられており、各態様の信頼度は、それぞれ、「小」，「確定」となっている。
【０１５４】
図１８（ｄ）に記載の表は、第一条件或いは第二条件成立時の後続保留記憶の数が４個である場合に、各信頼度の先読み演出の態様において後続保留図柄がどのような図柄に変化するかを示すと共に、「ノーマル外れ」，「リーチ外れ」，「当り」の各場合における、各態様の先読み演出の出現率を示している。
【０１５５】
なお、本実施形態では、図１８に記載の表からもわかるように、より精度の高い、つまり、信頼度として「確定」の態様の出現率を、後続保留図柄の数が多いほど高く設定している。このように構成することにより、遊技者はより多くの後続保留図柄を発生させようとするために、止め打ちの防止を実現することができる。
【０１５６】
次に、第一条件が成立した際の先読み演出の流れの一例について、図１９，２０に記載の説明図を用いて説明する。図１９，２０に記載の説明図は、先読み演出を行うことが決定された後に演出図柄表示装置６に表示される大当り演出画面（大当り演出表示態様）を示している。
【０１５７】
演出図柄表示装置６には、当該変動として特別図柄に対応した飾り（装飾）図柄が、左図柄に「３」、右図柄に「４」が停止し、中図柄が未だ変動中である状態において、３番目に消化される保留記憶（上述の消化順番が３番目の保留記憶）として新たな保留記憶が発生し、該保留記憶についての先読み演出を行うことが決定されると、該保留記憶に対応する保留図柄として、先読み示唆保留図柄１０２が表示される（図１９（ａ）参照）。このとき、第一条件に係る遅延時間として２５秒が設定されると共に、抽選により第二条件に係る後続保留数として３個或いは４個が選択されたとする。そして、該遅延時間の経過を計測するための先読みタイマが始動され、大当り演出画面における向かって左上の領域１１０には、第一条件成立までの残り時間が表示される。
【０１５８】
そして、上述した当該変動がハズレで確定表示した後、次いで１番目の保留記憶に基づいて新たな変動が開始されると共に該保留記憶が消化され、これに伴って該保留記憶に対応する通常保留図柄１００が消去された後（図１９（ｂ）参照）、当該変動中に１つ目、或いは２つ目の後続保留記憶が発生すると、該後続保留記憶に対応する後続保留図柄１０３，１０４が表示される（図１９（ｃ），図２０（ａ）参照）。なお、図１９，図２０では、後続保留図柄１０３，１０４が、通常保留図柄とは異なる図柄となっているが、後続保留図柄と通常保留図柄を同様の図柄としても良い。
【０１５９】
さらに、当該変動がハズレで確定表示した後、次いで先読み演出を行う保留記憶よりも先に発生した保留記憶に基づいて新たな変動が開始されると共に該保留記憶が消化され、該保留記憶による大当り演出の最中に先読みタイマがタイムアウトし、上述した第二条件（後続保留数として３個或いは４個）が成立する前に、第一条件が成立すると、後続保留図柄１０３，１０４を、「熱」、「い」と変化させることで、先読み演出が行われる（図２０（ｂ），（ｃ））。
【０１６０】
なお、図２０（ｃ）の説明図が示すように、当該先読み演出の流れにおいては、第一条件成立時の後続保留記憶が２個である場合における、信頼度が「大」に対応する態様の先読み演出が行われている。
【０１６１】
続いて、第二条件が成立した際の先読み演出の流れの一例について、図１９，２１を用いて説明する。
同様にして、３番目に消化される保留記憶として新たな保留記憶が発生し、該保留記憶についての先読み演出を行うことが決定されると、該保留記憶に対応する保留図柄として、先読み示唆保留図柄１０２が表示される（図１９（ａ）参照）。このとき、遅延時間として２５秒が設定されると共に、抽選により第二条件に係る後続保留数として２が選択され、先読み実行カウンタに２が設定されたとする。
【０１６２】
そして、１番目の保留記憶が消化され、対応する通常保留図柄１００が消去された後（図１９（ｂ）参照）、１つ目の後続保留記憶が発生して後続保留図柄１０３が表示され（図１９（ｃ）参照）、さらに、上述した第一条件（遅延時間として２５秒経過）が成立する前に、２つ目の後続保留記憶が発生して第二条件が成立すると、２つの後続保留図柄１０３，１０４を、「微」、「妙」と変化させることで、先読み演出が行われる（図２１参照）。
【０１６３】
なお、図２１に記載の説明図が示すように、当該先読み演出の流れにおいては、第二条件成立時の後続保留記憶が２個である場合における、信頼度が「小」に対応する態様の先読み演出が行われている。
【０１６４】
［効果］
第一実施形態のパチンコ機５０によれば、予告を行う起因となった保留記憶よりも後に発生した後続保留記憶に対応する後続保留図柄を変化させることで先読み演出が行われるため、先読み演出を行うことが決定された後、新たに保留記憶を発生させて後続保留図柄を表示させなければ先読み演出の信頼度が判明しない。このため、遊技者は、先読み演出を行うことが決定された後も遊技球の発射を継続すると考えられる。
【０１６５】
また、パチンコ機５０では、先読み演出を行うことが決定された後、第一条件や第二条件が成立した時に表示されている後続保留図柄を用いて先読み演出が行われる。このため、第一条件等の成立時に表示されている後続保留図柄の数に応じて完成された内容の先読み演出を行うことができ、後続保留記憶の数が不足しているために不完全な先読み演出が行われてしまうといった事態が生じることは無い。
【０１６６】
したがって、パチンコ機５０によれば、遊技者の止め打ちを抑止しつつ、より完成度の高い先読み演出を行うことができる。
［変形例について］
第一実施形態では、先読み演出が行われることが決定されると、先読み演出の対象となる保留記憶に対応して先読み示唆保留図柄が表示されるが、一時的に先読み示唆保留図柄を表示した後、先読み示唆保留図柄に替えて通常保留図柄を表示しても良い。このような場合であっても、遊技者に先読み演出が行われることを知らせることができる。また、一時的に先読み示唆保留図柄が表示される、すなわち継続的には表示されないことによって、遊技者は先読み示唆保留図柄の表示されるタイミングを見逃すまいと表示態様を一層注視することになり、遊技者の興味を惹き付けることが可能となる。
【０１６７】
また、先読み演出の対象となる保留記憶に対応する保留図柄として、先読み示唆保留図柄に替えて通常保留図柄を表示しても良い。こうすることにより、遊技者は、先読み演出が開始されたかどうかを判別することができず、遊技者の止め打ちをより確実に抑止することができると共に、唐突に先読み演出が行われる構成となり、意外性のある演出が可能となる。
【０１６８】
また、第一実施形態では、第一条件或いは第二条件の成立により後続保留図柄が変化するが、第一条件と第二条件のうちの一方のみについて成立したか否かを判定し、該一方の条件の成立により後続保留図柄を変化させても良い。このような場合であっても、同様の効果を得ることができる。
【０１６９】
また、第一実施形態では、先読み演出を行うことが決定された後、所定の遅延時間が経過した時点で第一条件が成立するが、大当り演出の進展に同期したタイミングの到来により、第一条件が成立するものとしても良い。具体的には、例えば、先読み演出を行うことが決定された際に行われていた大当り演出の終了時期に第一条件が成立するものとしても良いし、該決定の後、何番目かに行われる大当り演出の開始時期（或いは終了時期）に、第一条件が成立するものとしても良い。
【０１７０】
こうすることにより、遊技者が注視する大当り演出に同期して後続保留図柄を変化させることができ、遊技者を先読み演出に注目させることができると共に、遊技者は、先読み演出が行われることの期待感を持って大当り演出を見るようになり、大当り演出の興趣を高めることができる。
【０１７１】
また、例えば、普通図柄抽選での当選による第２始動口１２の開放時に第一条件が成立するものとしても良い。こうすることにより、第２始動口１２への入賞が容易になることと、先読み演出が行われることの相乗効果により興趣を高めることができると共に、先読み演出が行われない場合であっても、遊技者を、普通図柄抽選や第２始動口１２の開放動作に注目させることができる。
【０１７２】
また、例えば、第二条件の成立時は、第一条件の成立時よりも、条件成立時の後続保留図柄の数が同じ場合において、より信頼度の高い先読み演出が行われ易くしても良い。具体的には、例えば、対象となる保留記憶により当りとなる場合に、信頼度が「確定」或いは「大」である先読み演出の出現率を高くしても良い。
【０１７３】
こうすることにより、遊技者は、先読み演出の開始が決定された後、遅延時間が経過する前に第二条件を成立させるべく、なるべく多くの保留記憶を発生させるように狙って遊技球を発射させるようになり、遊技の興趣を高めることができる。また、先読み演出の開始が決定された後、例えば、「○秒以内に×個の保留記憶を発生させ、高信頼度の先読み演出をゲットしろ！」等といったミッションモードを設けることができる。
【０１７４】
また、確変モードか否かや、時短モードか否かを加味して、遅延時間や後続保留数を設定しても良い。こうすることにより、遊技状態に応じて先読み演出が行われる時期を設定することができ、遊技の興趣を高めることができる。
【０１７５】
［第二実施形態］
次に、第二実施形態のパチンコ機５０について説明する。第二実施形態のパチンコ機５０も、第一実施形態のパチンコ機５０と同様に構成されているが、先読み演出の態様が異なっている。第二実施形態のパチンコ機５０では、先読み演出の開始が決定されると、第１，第２始動口１１，１２への入球に起因して先読み演出の対象となっている保留記憶に対応する保留図柄を変化させることで、該保留記憶で当るか否かを予告する。以下では、第二実施形態のパチンコ機５０の動作について、第一実施形態との相違点を中心に説明する。
【０１７６】
［動作の説明］
第二実施形態のパチンコ機５０の主制御装置８０は、第一実施形態と同様のメインルーチンにより動作し、第一実施形態と同様の当否判定処理，特別遊技処理，先読み判定処理等が行われるが、始動入賞確認処理の内容が異なっている。また、サブ統合制御装置８３では、第一実施形態とは異なる内容の保留表示処理が行われ、先読み実行タイマ減算処理は行われない。以下では、これらの処理について説明する。
【０１７７】
（１）始動入賞確認処理について
第１，第２始動口１１，１２への入賞を検出し、該入賞に応じて保留記憶等を行う始動入賞確認処理について、図２２に記載のフローチャートを用いて説明する。なお、本処理は、メインルーチンから実行される入賞確認処理からコールされるサブルーチンとして構成されている。
【０１７８】
Ｓ８００では、主制御装置８０は、第１，第２始動口ＳＷ１１ａ，１２ａの検出信号に基づき、第１，第２始動口１１，１２への遊技球の入賞が発生したかを判定する。そして、肯定判定の場合は（Ｓ８００：Ｙｅｓ）、Ｓ８０５に処理を移行し、否定判定の場合は（Ｓ８００：Ｎｏ）、本処理を終了する。
【０１７９】
Ｓ８０５では、主制御装置８０は、保留記憶の数が上限値（一例として４）か否かを判定する。そして、肯定判定の場合は（Ｓ８０５：Ｙｅｓ）、Ｓ８１０に処理を移行し、否定判定の場合は（Ｓ８０５：Ｎｏ）、Ｓ８２０に処理を移行する。
【０１８０】
Ｓ８１０では、主制御装置８０は、大当り決定用乱数，大当り図柄決定用乱数，リーチ判定用乱数，変動パターン決定用乱数等を抽出し、これらの乱数を保留記憶として記憶する。そして、消化されていない保留記憶の数を示す保留数コマンドを、サブ統合制御装置８３に送信し、Ｓ８１５に処理を移行する。
【０１８１】
Ｓ８１５では、主制御装置８０は、新たに発生した保留記憶に対応する大当り決定用乱数等に基づき、該保留記憶に基づく大当り抽選の結果等を判定する第一実施形態と同様の先読み判定処理を実行し、本処理を終了する。
【０１８２】
一方、Ｓ８２０では、主制御装置８０は、保留記憶の数が上限値である時に、第１，第２始動口１１，１２への入球が生じたことを示す始動口入賞信号コマンドをサブ統合制御装置８３に送信し、本処理を終了する。
【０１８３】
（２）保留表示処理について
次に、保留記憶に対応する保留図柄を演出図柄表示装置６に表示する保留表示処理について、図２３に記載のフローチャートを用いて説明する。なお、本処理は、サブ統合制御装置８３にて定期的（例えば、２ｍｓ周期のタイマ割り込み処理）に実行される処理である。
【０１８４】
Ｓ８５０では、サブ統合制御装置８３は、主制御装置８０から保留数コマンド（保留個数情報）を受信したか否かを判定し、肯定判定が得られた場合には（Ｓ８５０：Ｙｅｓ）、Ｓ８５５に処理を移行すると共に、否定判定が得られた場合には（Ｓ８５０：Ｎｏ）、Ｓ８８５に処理を移行する。
【０１８５】
Ｓ８５５では、サブ統合制御装置８３は、主制御装置８０から先読みコマンド（先読み情報）を受信したか否かを判定し、肯定判定が得られた場合には（Ｓ８５５：Ｙｅｓ）、Ｓ８６０に処理を移行すると共に、否定判定が得られた場合には（Ｓ８５５：Ｎｏ）、Ｓ９０５に処理を移行する。
【０１８６】
Ｓ８６０では、サブ統合制御装置８３は、先読みフラグを参照することで先読み演出を行うことが未決定であるか否かを判定し、肯定判定が得られた場合には（Ｓ８６０：Ｙｅｓ）、Ｓ８６５に処理を移行すると共に、否定判定が得られた場合には（Ｓ８６０：Ｎｏ）、Ｓ８９５に処理を移行する。
【０１８７】
Ｓ８６５では、サブ統合制御装置８３は、先読みコマンドの種別（換言すれば、新たに発生した保留記憶に係る大当り決定用乱数，リーチ判定用乱数の値が上述した特定値であるか否か）と、乱数に基づく抽選結果とに基づき、新たに発生した保留記憶について先読み演出を行うか否かを決定する。そして、先読み演出を行う場合には（Ｓ８７０：Ｙｅｓ）、Ｓ８７５に処理を移行し、先読み演出を行わない場合には（Ｓ８７０：Ｎｏ）、Ｓ９０５に処理を移行する。
【０１８８】
Ｓ８７５では、サブ統合制御装置８３は、先読みコマンドの種別と、抽出した乱数に基づく抽選結果とに基づき先読み演出のパターンを設定し、Ｓ８８０に処理を移行する。なお、先読み演出のパターンについては、後述する。
【０１８９】
Ｓ８８０では、サブ統合制御装置８３は、先読み演出を行うことが決定されたことを示す先読みフラグをセットし、Ｓ９０５に処理を移行する。
一方、Ｓ８５０にて保留数コマンドを受信していないと判定された場合に移行するＳ８８５では、サブ統合制御装置８３は、主制御装置８０から始動口入賞信号コマンドを受信したか否かを判定する。そして、肯定判定が得られた場合には（Ｓ８８５：Ｙｅｓ）、Ｓ８９０に処理を移行すると共に、否定判定が得られた場合には（Ｓ８８５：Ｎｏ）、Ｓ９０５に処理を移行する。
【０１９０】
Ｓ８９０では、サブ統合制御装置８３は、先読みフラグを参照することで先読み演出を行うことが決定済みであるか否かを判定し、肯定判定が得られた場合には（Ｓ８９０：Ｙｅｓ）、Ｓ８９５に処理を移行すると共に、否定判定が得られた場合には（Ｓ８９０：Ｎｏ）、Ｓ９０５に処理を移行する。
【０１９１】
Ｓ８９５では、サブ統合制御装置８３は、設定した先読み演出のパターンと、先読み演出の対象となる保留記憶に対応して現在表示されている保留図柄（先読み保留図柄）に基づき、該先読み保留図柄を変化させる（ランクアップさせる）ことができるか否かを判定する。そして、肯定判定が得られた場合には（Ｓ８９５：Ｙｅｓ）、Ｓ９００に処理を移行すると共に、否定判定が得られた場合には（Ｓ８９５：Ｎｏ）、Ｓ９０５に処理を移行する。
【０１９２】
Ｓ９００では、サブ統合制御装置８３は、設定した先読み演出のパターンに従い、先読み保留図柄をどのように変化させるかを設定し、Ｓ９０５に処理を移行する。
Ｓ９０５では、サブ統合制御装置８３は、演出図柄制御装置８２に対し、新たに発生した保留記憶に対応する保留図柄を表示させると共に、該保留記憶について先読み演出を行うことが決定された場合には、該保留記憶に対応して、設定された先読み演出のパターンに従い先読み保留図柄を表示させる。また、先読み保留図柄のランクアップが生じた場合には、表示中の先読み保留図柄に替えて、新たに設定された先読み保留図柄を表示させる。そして、本処理を終了する。
【０１９３】
（３）先読み演出の内容について
次に、先読み演出の内容について説明する。
図２４（ａ）に記載の表は、大当り演出でノーマル外れ，リーチ外れとなる確率と、大当り抽選で当る確率（出現率）を示すと共に、ノーマル外れ，リーチ外れ，当りとなる保留記憶に対して、それぞれ、先読み演出が行われる確率（先読み出現率）を示している。
【０１９４】
また、図２４（ｂ）に記載の表が示すように、先読み演出のパターンとしては、パターン１〜８の８通りのパターンが設けられている。第二実施形態においても、先読み演出の信頼度として、「小」，「中」，「大」，「確定」の４段階が設けられており、該表の「信頼度」は、先読み演出の各パターンがどの段階の信頼度に対応するものとなっているかを示す項目となっている。
【０１９５】
また、該表の「出現率」は、先読み演出の対象となる保留記憶により「ノーマル外れ」となる場合と、「リーチ外れ」となる場合と、「当り」となる場合において、各パターンの先読み演出が行われる確率を示す項目となっている。
【０１９６】
また、該表の「先読み保留図柄」は、各パターンの先読み演出において表示される先読み保留図柄や、ランクアップにより先読み保留図柄がどのように変化するかを示す項目となっている。
【０１９７】
該表が示すように、パターン１，２，４に関しては、先読み演出が行われることが決定された際に、対象となる保留記憶に対応する保留図柄として該表の「先読み保留図柄」に対応する欄に記載の保留図柄が表示され、以後、第１，第２始動口１１，１２への入賞が発生しても、先読み保留図柄は変化しない（すなわち、先読み保留図柄のランクアップは行われない）。
【０１９８】
また、パターン３，５，６，８に関しては、先読み演出が開始され、先読み保留図柄が表示された後、第１，第２始動口１１，１２への１回目の入球により先読み保留図柄が変化し、２回目以降の入球では先読み保留図柄は変化しない（すなわち、１段階の先読み保留図柄のランクアップが行われる）。該表におけるこれらのパターンについての「先読み保留図柄」に対応する欄は、先読み演出が行われることが決定された際に、対象となる保留記憶に対応して表示される先読み保留図柄を示していると共に、第１，第２始動口１１，１２にて１回目の入賞が発生した際に、先読み保留図柄がどのように変化するかを示している。
【０１９９】
また、パターン７に関しては、先読み演出が開始され、先読み保留図柄が表示された後、第１，第２始動口１１，１２への１回目，２回目の入球により先読み保留図柄が変化し、３回目以降の入球では先読み保留図柄は変化しない（すなわち、２段階の先読み保留図柄のランクアップが行われる）。該表におけるパターン７についての「先読み保留図柄」に対応する欄は、先読み演出が行われることが決定された際に、対象となる保留記憶に対応して表示される先読み保留図柄を示していると共に、第１，第２始動口１１，１２にて１回目，２回目の入賞が発生した際に、先読み保留図柄がどのように変化するかを示している。
【０２００】
次に、先読み演出の流れの一例について、図２５，２６に記載の説明図を用いて説明する。図２５，２６に記載の説明図は、先読み演出の開始後に演出図柄制御装置８２に表示される大当り演出画面を示している。
【０２０１】
４番目に消化される保留記憶として新たな保留記憶が発生し、該保留記憶についての先読み演出を行うことが決定されると、該保留記憶に対応する先読み保留図柄１２３が表示される（図２５（ａ），（ｂ）参照）。なお、該先読み保留図柄１２３は、パターン１，３，５，７のいずれかの先読み演出において最初に表示される先読み保留図柄であるため、遊技者は、この時点では、先読み演出の信頼度を判別することができない。
【０２０２】
そして、１番目の保留記憶が消化され、該保留記憶に対応する保留図柄１２０が消去されて大当り演出が開始された後に（図２５（ｃ）参照）、保留記憶が新たに発生し、消化されていない保留記憶の数が上限値（４個）となると、新たな保留記憶に対応する保留図柄１２４が表示されると共に、先読み保留図柄１２３が変化する（図２６（ａ）参照）。なお、先読み保留図柄１２３の変化はパターン３或いは７に従ったものであるため、この時点では、先読み演出の信頼度が「中」或いは「大」のいずれかであることがわかる。
【０２０３】
その後、上記大当り演出が終了する前（消化されていない保留記憶の数が上限値である時）に、第１，第２始動口１１，１２に新たな入賞（過剰入賞と記載）が発生すると、新たな保留記憶は発生しないが、先読み保留図柄１２３がさらに変化する（図２６（ｂ）参照）。なお、このとき、先読み保留図柄１２３の変化はパターン７に従ったものであることが判明し、先読み演出の信頼度が「大」であることがわかる。
【０２０４】
なお、先読み演出の際に過剰入賞が生じた場合には、先読み演出における予告の精度を向上させても良い。
具体的には、例えば、大当り抽選で必ず当ることを示す先読み保留図柄（当り保留図柄）と、大当り抽選で必ず外れることを示す先読み保留図柄（外れ保留図柄）を設けておき、過剰入賞が発生した場合には、先読み演出のパターンに関らず、対象となる保留記憶による大当り抽選で当るか否かに応じて、先読み保留図柄を当り保留図柄或いは外れ保留図柄に変化させても良い。
【０２０５】
また、これに限らず、当り保留図柄を、大当り抽選で９０％の確率で当ることを示すものとすると共に、外れ保留図柄を、大当り抽選で９０％の確率で外れることを示すものとし、過剰入賞が発生した場合には、対象となる保留記憶による大当り抽選の結果と、新たに抽出した乱数による抽選の結果とに応じて、先読み保留図柄を当り保留図柄或いは外れ保留図柄に変化させても良い。
【０２０６】
こうすることにより、先読み演出の最中に保留記憶の数が上限値に達した場合であっても、遊技者に対して遊技球の発射を促すことができる。
［効果］
第二実施形態のパチンコ機５０によれば、保留記憶の数に拘らず、遊技球が第１，第２始動口１１，１２に入球する度に先読み演出の対象となる保留記憶に対応する保留図柄が変化する。このため、先読み演出が行われている最中の遊技者の止め打ちを防ぐことができると共に、保留記憶の数が上限に達した場合であっても、遊技者に遊技球の発射を促すことができ、弾球遊技機の稼働率の低下を防ぐことができる。
【０２０７】
［第三実施形態］
次に、第三実施形態のパチンコ機５０について説明する。第三実施形態のパチンコ機５０も、第一実施形態のパチンコ機５０と同様に構成されているが、先読み演出の態様が異なっている。第三実施形態のパチンコ機５０では、先読み演出の開始が決定された後、所定数の保留記憶が新たに発生した時点で、先読み演出の対象となる保留記憶に対応する保留図柄を変化させることで、先読み演出が行われる。以下では、第三実施形態のパチンコ機５０の動作について、第一実施形態との相違点を中心に説明する。
【０２０８】
［動作の説明］
第三実施形態のパチンコ機５０の主制御装置８０は、第一実施形態と同様のメインルーチンにより動作し、第一実施形態と同様の処理を行う。一方、サブ統合制御装置８３では、第一実施形態とは異なる内容の保留表示処理が行われ、先読み実行タイマ減算処理は行われない。以下では、保留表示処理について説明する。
【０２０９】
（１）保留表示処理について
保留記憶に対応する保留図柄を演出図柄表示装置６に表示する保留表示処理について、図２７に記載のフローチャートを用いて説明する。なお、本処理は、サブ統合制御装置８３にて定期的（例えば、２ｍｓ周期のタイマ割り込み処理）に実行される処理である。
【０２１０】
Ｓ９５０では、サブ統合制御装置８３は、主制御装置８０から保留数コマンド（保留個数情報）を受信したか否かを判定し、肯定判定が得られた場合には（Ｓ９５０：Ｙｅｓ）、Ｓ９５５に処理を移行すると共に、否定判定が得られた場合には（Ｓ９５０：Ｎｏ）、本処理を終了する。
【０２１１】
Ｓ９５５では、サブ統合制御装置８３は、主制御装置８０から先読みコマンド（先読み情報）を受信したか否かを判定し、肯定判定が得られた場合には（Ｓ９５５：Ｙｅｓ）、Ｓ９６０に処理を移行すると共に、否定判定が得られた場合には（Ｓ９５５：Ｎｏ）、Ｓ１０１０に処理を移行する。
【０２１２】
Ｓ９６０では、サブ統合制御装置８３は、先読みフラグを参照することで先読み演出を行うことが未決定であるか否かを判定し、肯定判定が得られた場合には（Ｓ９６０：Ｙｅｓ）、Ｓ９６５に処理を移行すると共に、否定判定が得られた場合には（Ｓ９６０：Ｎｏ）、Ｓ９９０に処理を移行する。
【０２１３】
Ｓ９６５では、サブ統合制御装置８３は、先読みコマンドの種別（換言すれば、新たに発生した保留記憶に係る大当り決定用乱数，リーチ判定用乱数の値が上述した特定値であるか否か）と、乱数に基づく抽選結果とに基づき、新たに発生した保留記憶について先読み演出を行うか否かを決定する。そして、先読み演出を行う場合には（Ｓ９７０：Ｙｅｓ）、Ｓ９７５に処理を移行し、先読み演出を行わない場合には（Ｓ９７０：Ｎｏ）、Ｓ１０１０に処理を移行する。
【０２１４】
Ｓ９７５では、サブ統合制御装置８３は、先読みコマンドの種別と、抽出した乱数に基づく抽選結果とに基づき先読み演出の態様を設定し、Ｓ９８０に処理を移行する。なお、先読み演出の態様については、後述する。
【０２１５】
Ｓ９８０では、サブ統合制御装置８３は、決定した先読み演出の態様に応じて先読み実行カウンタに後続保留個数を設定し、Ｓ９８５に処理を移行する。なお、どのような後続保留個数が設定されるかについては、後述する。
【０２１６】
Ｓ９８５では、サブ統合制御装置８３は、先読み演出を行うことが決定されたことを示す先読みフラグをセットし、Ｓ１０１０に処理を移行する。
一方、Ｓ９６０にて先読み演出を行うことが決定済みであると判定された場合に移行するＳ９９０では、サブ統合制御装置８３は、先読み実行カウンタをデクリメントし、Ｓ９９５に処理を移行する。
【０２１７】
Ｓ９９５では、サブ統合制御装置８３は、先読み実行カウンタが０であるか否かを判定し、肯定判定が得られた場合には（Ｓ９９５：Ｙｅｓ）、Ｓ１０００に処理を移行すると共に、否定判定が得られた場合には（Ｓ９９５：Ｎｏ）、Ｓ１０１０に処理を移行する。
【０２１８】
Ｓ１０００では、サブ統合制御装置８３は、演出図柄制御装置８２に対し、先に決定された先読み演出の態様に従い、該先読み演出の対象となる保留記憶に対応して表示されている通常保留図柄を先読み保留図柄に変化させ、Ｓ１００５に処理を移行する。
【０２１９】
Ｓ１００５では、サブ統合制御装置８３は、先読みフラグをクリアし、Ｓ１０１０に処理を移行する。
Ｓ１０１０では、サブ統合制御装置８３は、演出図柄制御装置８２に対し、新たに発生した保留記憶に対応する保留図柄を表示させ、本処理を終了する。
【０２２０】
（２）先読み演出の内容について
次に、先読み演出の内容について説明する。
図２８（ａ）に記載の表は、大当り演出でノーマル外れ，リーチ外れとなる確率と、大当り抽選で当る確率（出現率）を示すと共に、ノーマル外れ，リーチ外れ，当りとなる保留記憶において、それぞれ、先読み演出が行われる確率（先読み出現率）を示している。
【０２２１】
また、第三実施形態では、先読み演出として３種類の態様が設けられており、各態様の先読み演出の信頼度は、「小」，「中」，「大」の３段階のうちのいずれかとなっている。図２８（ｂ）に記載の表における「先読み保留図柄」は、各態様の先読み演出において表示される先読み保留図柄を示す項目となっている。また、該表の「出現率」は、ノーマル外れ，リーチ外れ，当りの各場合において、各態様の先読み演出が行われる確率を示す項目となっている。
【０２２２】
また、第三実施形態では、先読み演出の対象となる保留記憶が発生した後に、後続保留個数（先読み実行カウンタに設定される数値）の保留記憶（後続保留記憶）が新たに発生した時点で、対象となる保留記憶に対応して表示されている通常保留図柄が先読み保留図柄に変化するが、該表の「後続保留個数」は、各態様の先読み演出が行われる際に後続保留個数として設定される数値を示す項目となっている。該表は、信頼度の高い先読み演出ほど後続保留個数が多くなることを示している。
【０２２３】
次に、先読み演出の流れの一例について、図２９，３０に記載の説明図を用いて説明する。図２９，３０に記載の説明図は、先読み演出を行うことが決定された後に演出図柄制御装置８２に表示される大当り演出画面を示している。
【０２２４】
３番目に消化される保留記憶として新たな保留記憶が発生し、これに対応して通常保留図柄１３２（先読み演出が行われない場合の保留図柄）が表示され、該保留記憶について、信頼度が「大」である先読み演出を行うことが決定されたとする（図２９（ａ），（ｂ））。このとき、先読み実行カウンタには、後続保留個数として３が設定される。該決定の後、保留記憶が順次消化されると共に後続保留記憶が新たに発生し（図２９（ｃ），図３０（ａ），（ｂ））、後続保留記憶の数が３個になると、先読み演出の対象となる保留記憶に対応する通常保留図柄１３２が、先読み保留図柄１３２に変化する（図３０（ｃ））。
【０２２５】
なお、第三実施形態では、後続保留記憶の数が後続保留個数となった際に、先読み演出の対象となる保留記憶に対応して表示されている通常保留図柄が先読み保留図柄に変化する。しかしながら、例えば、先読み演出を行うことが決定された後、後続保留記憶の数が後続保留個数に達するまでの間、新たな後続保留記憶が発生する度に、先読み演出の対象となる保留記憶に対応する保留図柄を当りの期待度に応じて変化させても良い。このような場合であっても、遊技者の止め打ちを防ぐことができる。
【０２２６】
［効果］
第三実施形態のパチンコ機５０によれば、保留記憶が発生した直後には該保留記憶についての先読み演出が行われるかどうかが判明せず、保留記憶が新たに発生した後に該先読み演出が行われる。つまり、今回発生した保留記憶によって内部的には先読み演出が行われることになったとしても、当該保留記憶よりも後に保留記憶を発生させなければ、結果的には先読み演出が実行されないので、遊技者は保留を発生させようとする。しかし、遊技者は、先読み演出が実行されるまでは、常に更なる保留記憶を発生させる必要に迫られることになり、このため、遊技者の止め打ちを防ぐことができ、パチンコ機５０の稼働率を向上させることができる。
【０２２７】
［他の実施形態］
（１）第一〜第三実施形態のパチンコ機５０では、先読み演出を行うか否かの決定や、先読み演出の態様の決定等、先読み演出に関する各種処理がサブ統合制御装置８３にて行われているが、これに限定されることは無く、主制御装置８０にてこれらの処理を行っても良い。こうすることにより、主制御装置８０にて先読み演出の状況を把握することができ、先読み演出の状況に応じて大当り演出の内容を設定する等といったことが可能となる。
【０２２８】
（２）また、第一〜第三実施形態における先読み演出のうちの少なくとも二つを、一台のパチンコ機５０にて行うよう構成しても良い。
また、既に述べたように、特許文献１に記載の弾球遊技機は、後続保留記憶に対応して通常時とは異なる後続保留図柄を表示すると共に、所定数の後続保留図柄が表示された時点で、これらの後続保留図柄の組合せにより先読み演出の期待度が判明するように構成された先読み演出を行うが、このような先読み演出と、第一〜第三実施形態における先読み演出のうちの少なくとも一つを、１台のパチンコ機５０で行っても良い。
【０２２９】
また、対象となる保留記憶に対応する保留図柄を変化させることで、該保留記憶による大当り抽選の結果を予告する通常の先読み演出と、第一〜第三実施形態における先読み演出のうちの少なくとも一つを、１台のパチンコ機５０で行っても良い。
【０２３０】
こうすることにより、バリエーションに富んだ先読み演出を行うことができ、遊技の興趣を高めることができる。
（３）また、第一〜第三実施形態では、新たな保留記憶が発生した際に、該保留記憶について先読み演出を行うか否かを決定するよう構成されているが、これに限らず、例えば、消化されていない複数の保留記憶の中から、先読み演出を行う保留記憶をランダムに選択しても良い。このような場合であっても、同様の効果を得ることができる。
【０２３１】
（４）また、第一〜第三実施形態では、先読み演出の対象となる保留記憶による大当り抽選で当るか否かと、該保留記憶による大当り演出でのリーチ外れの有無を事前に判定した結果と、乱数に基づく抽選結果とに基づき、先読み演出を行うか否かの決定や、先読み演出の態様やパターンの設定が行われる。しかしながら、例えば、先読み演出の対象となる保留記憶による大当り抽選で当るか否かと、該保留記憶による大当り演出でのリーチ外れの有無とのうちの一方を事前に判定した結果と、抽選結果とに基づき、先読み演出を行うか否かの決定や、先読み演出の態様やパターンの設定を行っても良い。このような場合であっても、同様の効果を得ることができる。
【０２３２】
［特許請求の範囲との対応］
上記実施形態の説明で用いた用語と、特許請求の範囲の記載に用いた用語との対応を示す。
【０２３３】
パチンコ機５０におけるサブ統合制御装置８３，演出図柄制御装置８２，演出図柄表示装置６が、サブ制御装置に相当する。また、変動開始コマンド，図柄確定コマンドが演出制御コマンドに相当する。
【０２３４】
また、第一実施形態における始動入賞確認処理のＳ１１０が保留記憶手段，保留数通知手段に、Ｓ１１５が先読み手段に相当する。
また、当否判定処理におけるＳ２３０，Ｓ２３５が抽選手段に相当する。
【０２３５】
また、保留表示処理におけるＳ６１５が決定手段に、Ｓ６２５が設定手段に、Ｓ６７０が保留図柄表示手段に相当する。
また、保留表示処理におけるＳ６５０、先読み実行タイマ減算処理におけるＳ７１０が、条件判定手段に相当する。
【０２３６】
また、保留表示処理におけるＳ６５５，Ｓ６７０、先読み実行タイマ減算処理におけるＳ７１５が、先読み演出手段に相当する。
【符号の説明】
【０２３７】
１…遊技盤、２ａ…外レール、２ｂ…内レール、３…遊技領域、４…遊技釘、５…センターケース、６…演出図柄表示装置、７…普通図柄表示装置、８…普図保留数表示装置、９…特図表示装置、１１…第１始動口、１１ａ…第１始動口ＳＷ、１２…第２始動口、１２ａ…第２始動口ＳＷ、１２ｂ…普電役物ソレノイド、１４…大入賞口、１４ａ…カウントＳＷ、１４ｂ…大入賞口ソレノイド、１７…普通図柄作動ゲート、１７ａ…普通図柄作動ＳＷ、１８…特図保留数表示装置、２０…払出モータ、２１…払出ＳＷ、２２…満杯ＳＷ、２３…球切れＳＷ、２４…ＣＲユニット端子板、２５…精算表示装置、２８…タッチＳＷ、２９…発射停止ＳＷ、３０…発射モータ、３５…ガラス枠開放ＳＷ、３６…内枠開放ＳＷ、３９…シリンダ錠、５０…パチンコ機、５１…外枠、５２…前枠、５３…ヒンジ、５５…上皿、５６…ＣＲユニット、５７…球貸ボタン、５８…精算ボタン、５９…残高表示器、６１…板ガラス、６３…下皿、６４…発射ハンドル、６５…枠側装飾ランプ、６６…スピーカ、６７…演出ボタン、６８…ジョグダイヤル、７０…内枠、７１…球タンク、７２…タンクレール、７３…払出ユニット、７８…外部接続端子板、８０…主制御装置、８１…払出制御装置、８２…演出図柄制御装置、８３…サブ統合制御装置、８４…発射制御装置、８５…電源基板、９０…図柄表示装置中継端子板。
【図１】
2013009950.tif 000003
【図２】
2013009950.tif 000004
【図３】
2013009950.tif 000005
【図４】
2013009950.tif 000006
【図５】
2013009950.tif 000007
【図６】
2013009950.tif 000008
【図７】
2013009950.tif 000009
【図８】
2013009950.tif 000010
【図９】
2013009950.tif 000011
【図１０】
2013009950.tif 000012
【図１１】
2013009950.tif 000013
【図１２】
2013009950.tif 000014
【図１３】
2013009950.tif 000015
【図１４】
2013009950.tif 000016
【図１５】
2013009950.tif 000017
【図１６】
2013009950.tif 000018
【図１７】
2013009950.tif 000019
【図１８】
2013009950.tif 000020
【図１９】
2013009950.tif 000021
【図２０】
2013009950.tif 000022
【図２１】
2013009950.tif 000023
【図２２】
2013009950.tif 000024
【図２３】
2013009950.tif 000025
【図２４】
2013009950.tif 000026
【図２５】
2013009950.tif 000027
【図２６】
2013009950.tif 000028
【図２７】
2013009950.tif 000029
【図２８】
2013009950.tif 000030
【図２９】
2013009950.tif 000031
【図３０】
2013009950.tif 000032